(57)【要約】  アップリンク制御情報伝送方法及び装置が提供される。その方法は、ＵＣＩを送信するためのリソース量を第１情報に基づいて端末デバイスにより決定するステップであって、第１情報は、以下の情報の組み合わせ：スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；スケジューリング情報、第１プリセット・パラメータ、パラメータβ、ＰＵＳＣＨの利用可能なリソース量、及びスケジューリングされたデータの符号化率の組み合わせ；又はスケジューリング情報、データのビット数に対するＵＣＩのビット数の比率、第１プリセット・パラメータ、パラメータβ、ＰＵＳＣＨの利用可能なリソース量、及びパラメータαの組み合わせのうちの何れか１つを含む、ステップ；及びＵＣＩを送信するために決定されたリソース量に基づいてＵＣＩをネットワーク・デバイスへ端末デバイスにより送信するステップを含む。端末デバイスは、ＵＣＩを送信するためのリソース量を決定する場合に、リソース分割の割合ベースラインとして、データのビット数に対するＵＣＩのビット数の比率を利用するので、初期伝送の間に全てのリソースがＵＣＩに割り当てられてデータを送信できないケースは回避されることが可能である。
2021503787.tif 000002
【特許請求の範囲】
【請求項１】
アップリンク制御情報伝送方法であって、前記方法は：
アップリンク制御情報ＵＣＩを送信するためのリソース量を、第１情報に基づいて端末デバイスにより決定するステップであって、前記第１情報は、以下の情報の組み合わせ：
スケジューリング情報、前記ＵＣＩのビット数とデータのビット数との合計に対する前記ＵＣＩのビット数の比率、第１プリセット・パラメータ、パラメータβ、及び物理アップリンク共有チャネルＰＵＳＣＨの利用可能なリソース量の組み合わせ；
スケジューリング情報、第１プリセット・パラメータ、パラメータβ、ＰＵＳＣＨの利用可能なリソース量、及びスケジューリングされたデータの符号化率の組み合わせ；又は
スケジューリング情報、データのビット数に対する前記ＵＣＩのビット数の比率、第１プリセット・パラメータ、パラメータβ、ＰＵＳＣＨの利用可能なリソース量、及びパラメータαの組み合わせのうちの何れか１つを含む、ステップ；及び
前記ＵＣＩを送信するために決定された前記リソース量に基づいて前記ＵＣＩをネットワーク・デバイスへ前記端末デバイスにより送信するステップ；
を含む方法。
【請求項２】
前記第１プリセット・パラメータは、前記ＰＵＳＣＨに対するスケジューリングされた周波数ドメインのリソース・エレメントＲＥ数と第１プリセット値との積、及び／又は前記ＰＵＳＣＨのシンボル数と第２プリセット値との積である、請求項１に記載の方法。
【請求項３】
前記第１プリセット値は帯域幅及び／又はシンボル数である、請求項１に記載の方法。
【請求項４】
前記端末デバイスは、式（１）、式（２）、式（３）、式（４）、又は式（５）に従って、前記ＵＣＩを送信するための前記リソース量を決定し、式（１）は：
【数２９】
2021503787.tif 000031
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨは基準符号化率に対する前記ＵＣＩのオフセットであり；
前記式（２）は：
【数３０】
2021503787.tif 000032
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；
前記式（３）は：
【数３１】
2021503787.tif 000033
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；
前記式（４）は：
【数３２】
2021503787.tif 000034
であり、Ｑ’は前記ＵＣＩを送信するための前記リソース量であり、Ｏは前記ＵＣＩの前記ビット数であり、Ｒは前記データの前記符号化率であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；及び
前記式（５）は：
【数３３】
2021503787.tif 000035
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨは基準符号化率に対する前記ＵＣＩのオフセットであり、αはパラメータである；
請求項１−３のうちの何れか１項に記載の方法。
【請求項５】
Ｃの値は前記ＵＣＩのマッピング方法に関連付けられ、前記ＵＣＩの前記マッピング方法は、
前記ＵＣＩが時間ドメイン・リソースにマッピングされるシンボル数は第３プリセット値以下であり、前記ＵＣＩが周波数ドメイン・リソースにマッピングされるシンボル数はＵＣＩタイプに関連すること、又は
前記ＵＣＩが周波数ドメイン・リソースにマッピングされるシンボル数は第４プリセット値以下であり、前記ＵＣＩが時間ドメイン・リソースにマッピングされるシンボル数はＵＣＩタイプに関連することを含む、請求項４に記載の方法。
【請求項６】
前記第３プリセット値は、以下の値：
復調リファレンス信号ＤＭＲＳ付近のプリセット・シンボル数、前記ＰＵＳＣＨの前記シンボル数に関連する値、前記ＰＵＳＣＨが周波数ホッピングをサポートしているか否かに関連する値、及び追加的なＤＭＲＳがサポートされているか否かに関連する値のうちの１つ以上である、請求項５に記載の方法。
【請求項７】
前記第４プリセット値は、以下の値：
プリセット・リソース・エレメントＲＥ数、前記ＰＵＳＣＨの前記シンボル数に関連する値、前記ＰＵＳＣＨの帯域幅に関連する値、及び前記ＰＵＳＣＨの位相トラッキング・リファレンス信号ＰＴＲＳに関連する値のうちの１つ以上である、請求項６に記載の方法。
【請求項８】
処理ユニットと通信ユニットとを含むアップリンク制御情報伝送装置であって、
前記処理ユニットは、アップリンク制御情報ＵＣＩを送信するためのリソース量を、第１情報に基づいて決定するように構成され、前記第１情報は、以下の情報の組み合わせ：
スケジューリング情報、前記ＵＣＩのビット数とデータのビット数との合計に対する前記ＵＣＩのビット数の比率、第１プリセット・パラメータ、パラメータβ、及び物理アップリンク共有チャネルＰＵＳＣＨの利用可能なリソース量の組み合わせ；
スケジューリング情報、第１プリセット・パラメータ、パラメータβ、ＰＵＳＣＨの利用可能なリソース量、及びスケジューリングされたデータの符号化率の組み合わせ；又は
スケジューリング情報、データのビット数に対する前記ＵＣＩのビット数の比率、第１プリセット・パラメータ、パラメータβ、ＰＵＳＣＨの利用可能なリソース量、及びパラメータαの組み合わせのうちの何れか１つを含み；及び
前記通信ユニットは、前記ＵＣＩを送信するためのものであって前記処理ユニットにより決定された前記リソース量に基づいて前記ＵＣＩをネットワーク・デバイスへ送信するように構成されている、装置。
【請求項９】
前記第１プリセット・パラメータは、前記ＰＵＳＣＨに対するスケジューリングされた周波数ドメインのリソース・エレメントＲＥの量と第１プリセット値との積、及び／又は前記ＰＵＳＣＨのシンボル数と第２プリセット値との積である、請求項８に記載の装置。
【請求項１０】
前記第１プリセット値は帯域幅及び／又はシンボル数である、請求項８に記載の装置。
【請求項１１】
前記処理ユニットは、具体的に：
式（１）、式（２）、式（３）、式（４）、又は式（５）に従って、前記ＵＣＩを送信するための前記リソース量を決定するように構成され、式（１）は：
【数３４】
2021503787.tif 000036
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨは基準符号化率に対する前記ＵＣＩのオフセットであり；
前記式（２）は：
【数３５】
2021503787.tif 000037
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；
前記式（３）は：
【数３６】
2021503787.tif 000038
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；
前記式（４）は：
【数３７】
2021503787.tif 000039
であり、Ｑ’は前記ＵＣＩを送信するための前記リソース量であり、Ｏは前記ＵＣＩの前記ビット数であり、Ｒは前記データの前記符号化率であり、Ｃは伝送中の前記データのスケジューリングされた利用可能なリソース量において前記ＵＣＩを伝送するための最大リソース量であり、βｏｆｆｓｅｔＰＵＳＣＨはプリセット・オフセットであり；及び
前記式（５）は：
【数３８】
2021503787.tif 000040
であり、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨは基準符号化率に対する前記ＵＣＩのオフセットであり、αはパラメータである；
請求項８−１０のうちの何れか１項に記載の装置。
【請求項１２】
Ｃの値は前記ＵＣＩのマッピング方法に関連付けられ、前記ＵＣＩの前記マッピング方法は、
前記ＵＣＩが時間ドメイン・リソースにマッピングされるシンボル数は第３プリセット値以下であり、前記ＵＣＩが周波数ドメイン・リソースにマッピングされるシンボル数はＵＣＩタイプに関連すること、又は
前記ＵＣＩが周波数ドメイン・リソースにマッピングされるシンボル数は第４プリセット値以下であり、前記ＵＣＩが時間ドメイン・リソースにマッピングされるシンボル数はＵＣＩタイプに関連することを含む、請求項１１に記載の装置。
【請求項１３】
前記第３プリセット値は、以下の値：
復調リファレンス信号ＤＭＲＳ付近のプリセット・シンボル数、前記ＰＵＳＣＨの前記シンボル数に関連する値、前記ＰＵＳＣＨが周波数ホッピングをサポートしているか否かに関連する値、及び追加的なＤＭＲＳがサポートされているか否かに関連する値のうちの１つ以上である、請求項１２に記載の装置。
【請求項１４】
前記第４プリセット値は、以下の値：
プリセット・リソース・エレメントＲＥ数、前記ＰＵＳＣＨの前記シンボル数に関連する値、前記ＰＵＳＣＨの帯域幅に関連する値、及び前記ＰＵＳＣＨの位相トラッキング・リファレンス信号ＰＴＲＳに関連する値のうちの１つ以上である、請求項１３に記載の装置。
【請求項１５】
処理要素と記憶要素とを含む通信装置であって、前記記憶要素はプログラムを格納するように構成され、前記プログラムが前記処理要素によって呼び出されると、前記通信装置は請求項１−７のうちの何れか１項に記載の方法を実行するように構成されている通信装置。
【請求項１６】
前記通信装置は端末デバイス又はベースバンド・チップである、請求項１５に記載の通信装置。
【請求項１７】
プロセッサとメモリとを含む端末デバイスであって、前記プロセッサは前記メモリに接続され、前記メモリはコンピュータ実行可能命令を格納し、前記プロセッサは、前記端末デバイスが請求項１−７のうちの何れか１項に記載の方法を実行するように、前記メモリに格納された前記コンピュータ実行可能命令を実行する、端末デバイス。
【請求項１８】
コンピュータ読み取り可能な記憶媒体であって、前記コンピュータ読み取り可能な記憶媒体は命令を格納し、前記命令がコンピュータで動作すると、前記コンピュータは請求項１−７のうちの何れか１項に記載の方法を実行することが可能である、記憶媒体。
【発明の詳細な説明】
【背景技術】
【０００１】
本願は２０１７年１１月１７日付で中華人民共和国の国家知識産権局に出願された「アップリンク制御情報伝送方法及び装置」と題する中国特許出願第２０１７１１１４８１９０．１号に対する優先権を主張しており、それは全体的に本願に援用される。
【０００２】
技術分野
本願は、無線通信技術の分野、特にアップリンク制御情報伝送方法及び装置に関する。
【０００３】
背景
ロング・ターム・エボリューション（ｌｏｎｇ  ｔｅｒｍ  ｅｖｏｌｕｔｉｏｎ，ＬＴＥ）におけるアップリンク制御情報（ｕｐｌｉｎｋ  ｃｏｎｔｒｏｌ  ｉｎｆｏｒｍａｔｉｏｎ，ＵＣＩ）は、ハイブリッド自動再送要求確認（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，ＨＡＲＱ−ＡＣＫ）、スケジューリング要求（ｓｃｈｅｄｕｌｉｎｇ  ｒｅｑｕｅｓｔ，ＳＲ）、チャネル状態情報（ｃｈａｎｎｅｌ  ｓｔａｔｅ  ｉｎｆｏｒｍａｔｉｏｎ，ＣＳＩ）（チャネル品質インジケータ（ｃｈａｎｎｅｌ  ｑｕａｌｉｔｙ  ｉｎｄｉｃａｔｉｏｎ，ＣＱＩ）、プリコーディング・マトリクス・インジケータ（ｐｒｅｃｏｄｉｎｇ  ｍａｔｒｉｘ  ｉｎｄｉｃａｔｉｏｎ，ＰＭＩ）、ランク・インジケータ（ｒａｎｋ  ｉｎｄｉｃａｔｉｏｎ，ＲＩ））を含む。ＨＡＲＱ−ＡＣＫは、ダウンリンク・データ・チャネル、即ち物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）の受信状態をフィードバックするために使用される。正しい受信を行うと、ユーザ装置（ｕｓｅｒ  ｅｑｕｉｐｍｅｎｔ）はＡＣＫを送信する。正しくない受信を行うと、ＵＥは否定応答（ｎｅｇａｔｉｖｅ  ａｃｋｎｏｗｌｅｄｇｅｍｅｎｔ，ＮＡＣＫ）を送信する。基地局は、ＰＤＳＣＨチャネルに対するＵＥのフィードバック情報に基づいて、次のスケジューリング・ポリシー、例えば再送又は新規送信を決定する。ＳＲは、ＵＥにより基地局へ送信されるスケジューリング要求情報であり、ＵＥがアップリンク・データを送信する必要があることを示す。ＣＳＩは、ＵＥがチャネル状態を測定した後に、ＵＥにより基地局へフィードバックされるチャネル状態情報であり、その情報はＣＱＩ／ＰＭＩ／ＲＩを更に含む。ＣＱＩはチャネル品質表示情報であり、チャネル品質を直接的にフィードバックするために使用される。基地局は更に、ＣＱＩに基づいて、データを送信するための変調及び符号化方式（ｍｏｄｕｌａｔｉｏｎ  ａｎｄ  ｃｏｄｉｎｇ  ｓｃｈｅｍｅ，ＭＣＳ）を決定することができる。フィードバックＣＱＩの値が大きい場合には、比較的高い変調及び符号化方式及び比較的高い符号化率が使用される可能性があり、その結果、より多くの情報が限られたリソースで運ばれ、それによってデータ伝送速度が向上する。フィードバックＣＱＩの値が比較的小さい場合には、比較的低い変調及び符号化方式及び比較的低い符号化率が使用される可能性があり、その結果、より多くの時間−周波数リソースがデータを伝送するために使用され、それによりデータ伝送の信頼性が向上する。更に、ＵＥは、様々な周波数ドメイン・リソースのＣＱＩを測定し、それにより、基地局は、周波数ドメイン・スケジューリング利得を獲得するように、良好なチャネル品質を有する周波数ドメイン・リソースにデータをスケジューリングすることができる。ＰＭＩは、データを送信するためのプリコーディング・マトリックス識別子であり、測定されたチャネル品質に基づいてＵＥにより基地局へフィードバックされる。基地局は、フィードバックＰＭＩ情報に基づいて、対応するプリコーディング・マトリクスを決定することが��きる。ＲＩは、ランク指示情報であり、基地局にフィードバックするために使用され、チャネルが分離され得るレイヤの量である。より多くのレイヤ量は、同時に送信されることが可能なより多くのデータ量を示す。更に、基地局へフィードバックするために使用されるチャネル状態情報リファレンス信号リソース・インジケータ（ＣＲＩ）、複数の測定された測定リソースの中で測定チャネル品質が最良である測定リソースのような他の情報が存在する。
【０００４】
制御情報は、物理アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）及び物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）の２つのチャネルを使用することにより伝送される可能性がある。ＬＴＥリリース（Ｒｅｌｅａｓｅ）８では、ＰＵＣＣＨを利用することによる制御情報の送信とＰＵＳＣＨを利用することによるデータ情報の送信とを同時に行うようにはサポートされていない。ＵＣＩとデータが同時に伝送される場合、ＵＣＩとデータに対して多重化が実行されなければならない。これは、アップリンク・シングル・キャリア特性を維持することを支援し、それにより、エッジ・ユーザのアップリンク・カバレッジを改善する。ＬＴＥリリース１０では、ＵＣＩとデータの同時送信をサポートする上位レイヤ・パラメータ同時（ｓｉｍｕｌｔａｎｅｏｕｓ）ＰＵＣＣＨ−ＰＵＳＣＨが導入されている。ＵＣＩとデータの同時送信が設定されている場合、ＵＣＩのうちのある部分はＰＵＣＣＨで送信されるようにサポートされており、ＵＣＩの他の部分はＰＵＳＣＨで送信されるようにサポートされている。同時送信が設定されていない場合に、ＵＣＩとデータが同時に送信されるとき、ＵＣＩは、多重化によりＰＵＳＣＨで搬送される必要がある。
【０００５】
具体的には、ＵＣＩが多重化によりＰＵＳＣＨで搬送される場合、様々な情報を様々な方法で処理される。ＬＴＥにおける処理方法は、次のとおりである：第１に、データ伝送に関し、ＵＥは媒体アクセス制御（ｍｅｄｉｕｍ  ａｃｃｅｓｓ  ｃｏｎｔｒｏｌ，ＭＡＣ）レイヤでトランスポート・ブロック（ｔｒａｎｓｐｏｒｔ  ｂｌｏｃｋ，ＴＢ）を生成し、巡回冗長検査（ｃｙｃｌｉｃ  ｒｅｄｕｎｄａｎｃｙ  ｃｈｅｃｋ，ＣＲＣ）ビットをトランスポート・ブロックに追加する。次に、ＴＢはコード・ブロックにセグメント化され、ＣＲＣビットが各コード・ブロックに追加される。次に、ＣＲＣビットが追加された各コード・ブロックが、符号化のためにエンコーダに入力される。符号化の後、実際の時間−周波数リソースの量に基づいて、レート・マッチングが、符号化されたデータに対して実行されなければならない。レート・マッチングの後、コード・ブロックは、データのビットストリームのストリングを形成するためにカスケード接続される。第２に、ＵＣＩ伝送に関し、ＣＱＩが符号化された後に、符号化されたＣＱＩとデータに対して多重化が実行されなければならない。ＡＣＫ及びＲＩが符号化された後、符号化されたＡＣＫ及び符号化されたＲＩは、ＣＱＩ／データと共にインターリーバに入力される。ＡＣＫは、データ・パンクチャリング方式でインターリーバに入力され、ＡＣＫは、ＰＵＳＣＨのパイロットの隣の位置にある。ＲＩはＡＣＫに隣接した位置にあり、ＲＩに関してレート・マッチング法が使用される。このような配置は、ＡＣＫが比較的良好なチャネル推定パフォーマンスを有することができ、ＲＩがＣＱＩ／ＰＭＩを正しく受信することに特定の効果を有することを考慮して行われる。ＵＣＩが伝送のためにＰＵＳＣＨで搬送されるプロセスにおいて、特定のリソースが、制御情報を運ぶために、ＰＵＳＣＨに関して本来的にはスケジューリングされる時間周波数リソースから分割される。現在、ＬＴＥでは、ＵＣＩの情報ビット数とデータの情報ビット数とに基づいて、ＵＣＩを送信するためのリソースが決定される。しかしながら、ＮＲでは、ＵＣＩの情報ビット数は大幅に増加する。従って、ＵＣＩとデータの伝送パフォーマンスをバランスさせるために、資源割当を実現することは重要な問題となる。
【発明の概要】
【０００６】
本願は、初期データ伝送中にデータ及びリソースに十分なリソースを割り当て、それによりシステム・パフォーマンスを改善するために、アップリンク制御情報伝送方法及び装置を提供する。
【０００７】
第１態様によれば、本願はアップリンク制御情報伝送方法を提供し、その方法は：
ＵＣＩを送信するためのリソース量を、第１情報に基づいて端末デバイスにより決定するステップであって、第１情報は、以下の情報の組み合わせ：
スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；
スケジューリング情報、第１プリセット・パラメータ、パラメータβ、ＰＵＳＣＨの利用可能なリソース量、及びスケジューリングされたデータの符号化率の組み合わせ；又は
スケジューリング情報、データのビット数に対するＵＣＩのビット数の比率、第１プリセット・パラメータ、パラメータβ、ＰＵＳＣＨの利用可能なリソース量、及びパラメータαの組み合わせのうちの何れか１つを含む、ステップ；及び
ＵＣＩを送信するために決定されたリソース量に基づいてＵＣＩをネットワーク・デバイスへ端末デバイスにより送信するステップを含む。
【０００８】
端末デバイスはＵＣＩを送信するための決定されたリソース量に基づいてＵＣＩをネットワーク・デバイスへ送信する。端末デバイスは、ＵＣＩを送信するためのリソース量を決定する場合に、リソース分割の割合ベースラインとして、データのビット数に対するＵＣＩのビット数の比率を利用するので、初期伝送の間に全てのリソースがＵＣＩに割り当てられてデータを送信できないケースは回避されることが可能である。
【０００９】
可能な設計において、第１プリセット・パラメータは、ＰＵＳＣＨに対するスケジューリングされた周波数ドメインのリソース・エレメントＲＥの量と第１プリセット値との積、及び／又はＰＵＳＣＨのシンボル数と第２プリセット値との積である。
【００１０】
可能な設計において、第１プリセット値は帯域幅及び／又はシンボル数である。
【００１１】
可能な設計において、端末デバイスは、式（１）、式（２）、式（３）、式（４）、又は式（５）に従って、ＵＣＩを送信するためのリソース量を決定し、式（１）は：
【数１】
2021503787.tif 000003
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットであり；
式（２）は：
【数２】
2021503787.tif 000004
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；
式（３）は：
【数３】
2021503787.tif 000005
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；
式（４）は：
【数４】
2021503787.tif 000006
であり、Ｑ’はＵＣＩを送信するためのリソース量であり、ＯはＵＣＩのビット数であり、Ｒはデータの符号化率であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；及び
式（５）は：
【数５】
2021503787.tif 000007
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットであり、αはパラメータである。
【００１２】
端末デバイスは、ＵＣＩを送信するためのものであって上記の式に従って決定されるリソース量に基づいてＵＣＩをネットワーク・デバイスへ送信する。端末デバイスは、ＵＣＩを送信するためのリソース量を決定する場合に、リソース分割の割合ベースラインとして、データのビット数に対するＵＣＩのビット数の比率を利用するので、初期伝送の間に全てのリソースがＵＣＩに割り当てられてデータを送信できないケースは回避されることが可能である。
【００１３】
可能な設計において、Ｃの値はＵＣＩのマッピング方法に関連付けられ、ＵＣＩのマッピング方法は、
ＵＣＩが時間ドメイン・リソースにマッピングされるシンボル数は第３プリセット値以下であり、ＵＣＩが周波数ドメイン・リソースにマッピングされるシンボル数はＵＣＩタイプに関連すること、又は
ＵＣＩが周波数ドメイン・リソースにマッピングされるシンボル数は第４プリセット値以下であり、ＵＣＩが時間ドメイン・リソースにマッピングされるシンボル数はＵＣＩタイプに関連することを含む。
【００１４】
端末デバイスは、ＵＣＩのマッピング方法に基づいて上記の式における値を決定することができる。
【００１５】
可能な設計において、第３プリセット値は、以下の値：
復調リファレンス信号ＤＭＲＳ（ｄｅｍｏｄｕｌａｔｉｏｎ  ｒｅｆｅｒｅｎｃｅ  ｓｉｇｎａｌ，ＤＭＲＳ）付近のプリセット・シンボル数、ＰＵＳＣＨのシンボル数に関連する値、ＰＵＳＣＨが周波数ホッピングをサポートしているか否かに関連する値、及び追加的なＤＭＲＳがサポートされているか否かに関連する値のうちの１つ以上である。
【００１６】
可能な設計において、第４プリセット値は、以下の値：
プリセットＲＥ数、ＰＵＳＣＨのシンボル数に関連する値、ＰＵＳＣＨの帯域幅に関連する値、及びＰＵＳＣＨの位相トラッキング・リファレンス信号ＰＴＲＳ（ｐｈａｓｅ  ｔｒａｃｋｉｎｇ  ｒｅｆｅｒｅｎｃｅ  ｓｉｇｎａｌ，ＰＴＲＳ）に関連する値のうちの１つ以上である。
【００１７】
可能な設計において、端末デバイスは、式（６）、式（７）、式（８）、又は式（９）に従って、ＵＣＩを送信するためのリソース量を決定し、式（６）は：
【数６】
2021503787.tif 000008
であり、Ｑ’はＵＣＩを送信するためのリソース量であり、ＯはＵＣＩのビット数であり、Ｂはデータのビット数であり、Ａは初期伝送中のデータの利用可能なリソース量であり、βｏｆｆｓｅｔＰＵＳＣＨは基準符号化率に対するＵＣＩのオフセットであり；
式（７）は：
【数７】
2021503787.tif 000009
であり、Ｑ’はＵＣＩを送信するためのリソース量であり、ＯはＵＣＩのビット数であり、Ｂはデータのビット数であり、Ａは初期伝送中のデータの利用可能なリソース量であり、βｏｆｆｓｅｔＰＵＳＣＨはプリセット・オフセットであり；
式（８）は：
【数８】
2021503787.tif 000010
であり、Ｑ’はＵＣＩを送信するためのリソース量であり、ＯはＵＣＩのビット数であり、Ｂはデータのビット数であり、Ａは初期伝送中のデータの利用可能なリソース量であり、βｏｆｆｓｅｔＰＵＳＣＨはプリセット・オフセットであり；
式（９）は：
【数９】
2021503787.tif 000011
であり、Ｑ’はＵＣＩを送信するためのリソース量であり、ＯはＵＣＩのビット数であり、Ｒはデータの符号化率であり、βｏｆｆｓｅｔＰＵＳＣＨはプリセット・オフセットである。
【００１８】
第２態様によれば、本願はアップリンク制御情報伝送方法を提供し、その方法は：
ネットワーク装置によって、第１指示情報を端末デバイスへ送信するステップを含み、第１指示情報は、スケジューリング情報、パラメータβ、及びパラメータαのうちの１つ以上を含み、第１指示情報は第１情報を決定するために端末により使用され、第１情報は以下の情報の組み合わせ：
スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；
スケジューリング情報、第１プリセット・パラメータ、パラメータβ、ＰＵＳＣＨの利用可能なリソース量、及びスケジューリングされたデータの符号化率の組み合わせ；又は
スケジューリング情報、データのビット数に対するＵＣＩのビット数の比率、第１プリセット・パラメータ、パラメータβ、ＰＵＳＣＨの利用可能なリソース量、及びパラメータαの組み合わせのうちの何れか１つを含む。
【００１９】
第３態様によれば、本願は、処理ユニットと通信ユニットとを含むアップリンク制御情報伝送装置を提供し、
処理ユニットは、ＵＣＩを送信するためのリソース量を、第１情報に基づいて決定するように構成され、第１情報は、以下の情報の組み合わせ：
スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；
スケジューリング情報、第１プリセット・パラメータ、パラメータβ、ＰＵＳＣＨの利用可能なリソース量、及びスケジューリングされたデータの符号化率の組み合わせ；又は
スケジューリング情報、データのビット数に対するＵＣＩのビット数の比率、第１プリセット・パラメータ、パラメータβ、ＰＵＳＣＨの利用可能なリソース量、及びパラメータαの組み合わせのうちの何れか１つを含み；
通信ユニットは、ＵＣＩを送信するためのものであって処理ユニットにより決定されたリソース量に基づいてＵＣＩをネットワーク・デバイスへ送信するように構成されている。
【００２０】
可能な設計において、第１プリセット・パラメータは、ＰＵＳＣＨに対するスケジューリングされた周波数ドメインのリソース・エレメントＲＥの量と第１プリセット値との積、及び／又はＰＵＳＣＨのシンボル数と第２プリセット値との積である。        
【００２１】
可能な設計において、第１プリセット値は帯域幅及び／又はシンボル数である。
【００２２】
可能な設計において、処理ユニットは、具体的に：
式（１）、式（２）、式（３）、式（４）、又は式（５）に従って、ＵＣＩを送信するためのリソース量を決定するように構成され、式（１）は：
【数１０】
2021503787.tif 000012
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットであり；
式（２）は：
【数１１】
2021503787.tif 000013
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；
式（３）は：
【数１２】
2021503787.tif 000014
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；
式（４）は：
【数１３】
2021503787.tif 000015
であり、Ｑ’はＵＣＩを送信するためのリソース量であり、ＯはＵＣＩのビット数であり、Ｒはデータの符号化率であり、Ｃは伝送中のデータのスケジューリングされた利用可能なリソース量においてＵＣＩを伝送するための最大リソース量であり、βｏｆｆｓｅｔＰＵＳＣＨはプリセット・オフセットであり；及び
式（５）は：
【数１４】
2021503787.tif 000016
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットであり、αはパラメータである。
【００２３】
可能な設計において、Ｃの値はＵＣＩのマッピング方法に関連付けられ、ＵＣＩのマッピング方法は、
ＵＣＩが時間ドメイン・リソースにマッピングされるシンボル数は第３プリセット値以下であり、ＵＣＩが周波数ドメイン・リソースにマッピングされるシンボル数はＵＣＩタイプに関連すること、又は
ＵＣＩが周波数ドメイン・リソースにマッピングされるシンボル数は第４プリセット値以下であり、ＵＣＩが時間ドメイン・リソースにマッピングされるシンボル数はＵＣＩタイプに関連することを含む。
【００２４】
可能な設計において、第３プリセット値は、以下の値：
ＤＭＲＳ付近のプリセット・シンボル数、ＰＵＳＣＨのシンボル数に関連する値、ＰＵＳＣＨが周波数ホッピングをサポートしているか否かに関連する値、及び追加的なＤＭＲＳがサポートされているか否かに関連する値のうちの１つ以上である。
【００２５】
可能な設計において、第４プリセット値は、以下の値：
プリセットＲＥ数、ＰＵＳＣＨのシンボル数に関連する値、ＰＵＳＣＨの帯域幅に関連する値、及びＰＵＳＣＨのＰＴＲＳに関連する値のうちの１つ以上である。
【００２６】
第４態様によれば、本願の実施形態はアップリンク制御情報伝送装置を提供し、その装置は端末デバイスであってもよいし、あるいは端末デバイス内のチップであってもよい。装置は第１態様の各実施形態を実装する機能を有する。機能はハードウェアにより実現されてもよいし、あるいは対応するソフトウェアを実行することによりハードウェアにより実現されてもよい。ハードウェア又はソフトウェアは機能に対応する１つ以上のモジュールを含む。
【００２７】
可能な設計において、装置が端末デバイスである場合、端末デバイスは処理ユニットと通信ユニットとを含む。処理ユニットは、例えばプロセッサであってもよく、通信ユニットは、例えばトランシーバであってもよく、トランシーバは無線周波数回路を含む。オプションとして、端末デバイスは記憶ユニットを更に含み、記憶ユニットは例えばメモリであってもよい。端末デバイスが記憶ユニットを含む場合、記憶ユニットはコンピュータ実行可能命令を格納する。処理ユニットは記憶ユニットに接続され、処理ユニットは、記憶ユニットに格納されたコンピュータ実行可能命令を実行し、それにより端末デバイスは、第１態様又は第１態様の可能な設計のうちの何れか１つにおいてアップリンク制御情報送信方法を実行する。
【００２８】
別の可能な設計において、装置が端末デバイス内のチップである場合、チップは、処理ユニットと通信ユニットとを含む。処理ユニットは例えばプロセッサであってもよく、通信ユニットは例えば入出力インターフェース、ピン、又は回路であってもよい。処理ユニットは、記憶ユニットに記憶されたコンピュータ実行可能命令を実行して、第１態様又は第１態様の可能な設計のうちの何れか１つのアップリンク制御情報送信方法を実行することができる。オプションとして、記憶ユニットは、チップ内の記憶ユニット、例えばレジスタ又はキャッシュである。あるいは、記憶ユニットは、端末デバイス内にあり、チップの外側に位置する記憶ユニット、例えばリード・オンリ・メモリ、静的情報及び命令を記憶することが可能な別のタイプの静的記憶デバイス、又はランダム・アクセス・メモリであってもよい。
【００２９】
第５態様によれば、本願は更に、処理要素及び記憶要素を含む通信装置を提供する。記憶要素は、プログラムを記憶するように構成されており、プログラムが処理素子によって呼び出されると、通信装置は前述の態様の方法を実行するように構成されている。
【００３０】
第６態様によれば、本願は更に、コンピュータ読み取り可能な記憶媒体を提供し、コンピュータ読み取り可能な記憶媒体は命令を記憶する。命令がコンピュータ上で動作すると、コンピュータは前述の態様の方法を実行することが可能である。
【００３１】
第７態様によれば、本願は更に、命令を含むコンピュータ・プログラム・プロダクトを提供する。コンピュータ・プログラム・プロダクトがコンピュータで動作する場合、コンピュータは前述の態様の方法を実行することが可能である。
【図面の簡単な説明】
【００３２】
【図１】本願によるシステム・アーキテクチャの概略図である；
【００３３】
【図２】本願によるアップリンク制御情報伝送方法の概略フローチャートである。
【００３４】
【図３】本願によるリソース・マッピングの概略図である。
【００３５】
【図４Ａ】本願によるリソース・マッピングの概略図である。
【図４Ｂ】本願によるリソース・マッピングの概略図である。
【００３６】
【図５Ａ】本願によるリソース・マッピングの概略図である。
【図５Ｂ】本願によるリソース・マッピングの概略図である。
【００３７】
【図６】本願によるリソース・マッピングの概略図である。
【００３８】
【図７】本願によるリソース・マッピングの概略図である。
【００３９】
【図８Ａ】本願によるリソース・マッピングの概略図である。
【図８Ｂ】本願によるリソース・マッピングの概略図である。
【００４０】
【図９Ａ】本願によるリソース・マッピングの概略図である。
【図９Ｂ】本願によるリソース・マッピングの概略図である。
【図９Ｃ】本願によるリソース・マッピングの概略図である。
【００４１】
【図１０Ａ】本願によるリソース・マッピングの概略図である。
【図１０Ｂ】本願によるリソース・マッピングの概略図である。
【００４２】
【図１１】本願によるアップリンク制御情報伝送装置の概略構成図である。
【００４３】
【図１２】本願によるアップリンク制御情報伝送装置の概略構成図である。
【発明を実施するための形態】
【００４４】
図１は本願が適用可能なシステム・アーキテクチャの概略図である。図１に示すように、システム・アーキテクチャは、ネットワーク・デバイス１０１と１つ以上の端末デバイス１０２とを含む。ネットワーク・デバイス１０１は、ネットワークを介してダウンリンク・データを端末デバイス１０２へ送信することが可能であり、端末デバイス１０２は、ネットワークを介してアップリンク・データをネットワーク・デバイスへ送信することが可能である。
【００４５】
本願では、ネットワーク・デバイスは基地局（ｂａｓｅ  ｓｔａｔｉｏｎ，ＢＳ）デバイスであるとすることが可能である。基地局デバイスは、基地局と言及されてもよく、無線通信機能を提供するために無線アクセス・ネットワーク内に配置される装置である。例えば、２Ｇネットワークにおいて基地局機能を提供するデバイスは、ベース・トランシーバ局（ｂａｓｅ  ｔｒａｎｓｃｅｉｖｅｒ  ｓｔａｔｉｏｎ，ＢＴＳ）及び基地局コントローラ（ｂａｓｅ  ｓｔａｔｉｏｎ  ｃｏｎｔｒｏｌｌｅｒ，ＢＳＣ）を含み；３Ｇネットワークにおいて基地局機能を提供するデバイスは、ノードＢ（ＮｏｄｅＢ）及び無線ネットワーク・コントローラ（ｒａｄｉｏ  ｎｅｔｗｏｒｋ  ｃｏｎｔｒｏｌｌｅｒ，ＲＮＣ）を含み；４Ｇネットワークにおいて基地局機能を提供するデバイスは、エボルブド・ノードＢ（ｅｖｏｌｖｅｄ  ＮｏｄｅＢ，ｅＮＢ）を含み、５Ｇネットワークにおいて基地局機能を提供するデバイスは、ニュー・ラジオ・ノードＢ  （Ｎｅｗ  Ｒａｄｉｏ  ＮｏｄｅＢ，ｇＮＢ）、集中ユニット（Ｃｅｎｔｒａｌｉｚｅｄ  Ｕｎｉｔ，ＣＵ）、分散ユニット（Ｄｉｓｔｒｉｂｕｔｅｄ  Ｕｎｉｔ）及びニュー・ラジオ・コントローラを含む。
【００４６】
端末デバイスは無線送信／受信機能を有するデバイスである。端末デバイスは、陸上に配置されてもよく、屋内デバイス、屋外デバイス、ハンドヘルド・デバイス、又は車載デバイスを含んでもよく、又は水上に配置されてもよく（例えば、船上）、又は空中に配置されてもよい（例えば、飛行機、気球、又は衛星）。端末デバイスは、移動電話（ｍｏｂｉｌｅ  ｐｈｏｎｅ）、タブレット（パッド）、無線送信／受信機能を有するコンピュータ、仮想現実（ｖｉｒｔｕａｌ  ｒｅａｌｉｔｙ，ＶＲ）端末デバイス、拡張現実（ａｕｇｍｅｎｔｅｄ  ｒｅａｌｉｔｙ，ＡＲ）端末デバイス、産業用制（ｉｎｄｕｓｔｒｉａｌ  ｃｏｎｔｒｏｌ）における無線端末デバイス、自走用無線端末デバイス（ｓｅｌｆ  ｄｒｉｖｉｎｇ）、遠隔医療における無線端末デバイス（ｒｅｍｏｔｅ  ｍｅｄｉｃａｌ）、スマートグリッド（ｓｍａｒｔ  ｇｒｉｄ）における無線端末デバイス、交通安全用（ｔｒａｎｓｐｏｒｔａｔｉｏｎ  ｓａｆｅｔｙ）無線端末デバイス、スマート・シティ（ｓｍａｒｔ  ｃｉｔｙ）における無線端末デバイス、スマート・ホーム（ｓｍａｒｔ  ｈｏｍｅ）における無線端末デバイス等であってもよい。
【００４７】
本願において、図１に示すシステム・アーキテクチャが説明の例示として主に使用されているが、本願はこれに限定されない。例えば、本願は更にマクロ基地局がマイクロ基地局と通信するシステム・アーキテクチャに適用される可能性がある。これは特に限定されない。
【００４８】
前述のシステム・アーキテクチャが適用可能な通信システムは、時分割複信ロング・ターム・エボリューション（ｔｉｍｅ  ｄｉｖｉｓｉｏｎ  ｄｕｐｌｅｘｉｎｇ−ｌｏｎｇ  ｔｅｒｍ  ｅｖｏｌｕｔｉｏｎ，ＴＤＤ  ＬＴＥ）、周波数分割複信ロング・ターム・エボリューション（ｆｒｅｑｕｅｎｃｙ  ｄｉｖｉｓｉｏｎ  ｄｕｐｌｅｘｉｎｇ−ｌｏｎｇ  ｔｅｒｍ  ｅｖｏｌｕｔｉｏｎ，ＦＤＤ  ＬＴＥ）、ロング・ターム・エボリューション・アドバンスト（ｌｏｎｇ  ｔｅｒｍ  ｅｖｏｌｕｔｉｏｎ−ａｄｖａｎｃｅｄ，ＬＴＥ−Ａ）、及び様々な将来の発展した無線通信システム（例えば、ニュー・ラジオ・アクセス技術  （ｎｅｗ  ｒａｄｉｏ  ａｃｃｅｓｓ  ｔｅｃｈｎｏｌｏｇｙ，ＮＲ）システム）を含むが、これらに限定されない。
【００４９】
現在、ＬＴＥでは、アップリンク制御情報（ｕｐｌｉｎｋ  ｃｏｎｔｒｏｌ  ｉｎｆｏｒｍａｔｉｏｎ，ＵＣＩ）のチャネル品質指示（ｃｈａｎｎｅｌ  ｑｕａｌｉｔｙ  ｉｎｄｉｃａｔｉｏｎ，ＣＱＩ）／プリコーディング・マトリクス指示（ｐｒｅｃｏｄｉｎｇ  ｍａｔｒｉｘ  ｉｎｄｉｃａｔｉｏｎ，ＰＭＩ）は、限られたビット数を有し、各キャリアは最大６４ビットである。最大１６セルのＣＱＩ／ＰＭＩがフィードバックされる必要があることを考慮すると、最大ビット数は６４×１６＝１０２４である。これはデータのビット数よりも小さく、従って、ＵＣＩ及びデータのパフォーマンスにほとんど影響を及ぼさない。
【００５０】
しかしながら、ＮＲではＵＣＩの情報ビット数は大きくなる。例えば、単一セルのチャネル状態情報パート２（ｃｈａｎｎｅｌ  ｓｔａｔｅ  ｉｎｆｏｒｍａｔｉｏｎ  ｐａｒｔ  ２，ＣＳＩ  ｐａｒｔ  ２）の情報量は、数千ビットに及ぶ。この場合、ＵＣＩの情報ビットの量は、データの情報ビット数を超える可能性が非常に高い。ＣＳＩパート１を送信するために使用されるリソース・エレメントを除き、ＰＵＳＣＨ内の全てのリソース・エレメント（ｒｅｓｏｕｒｃｅ  ｅｌｅｍｅｎｔ，ＲＥ）は、ＣＳＩパート２を送信するために使用されることになり、従ってデータを送信することができない。従って、データは、事実上、基地局側で送信されることができない。
【００５１】
この技術的課題を解決するために、図２は、本願によるアップリンク制御情報伝送手順の一例を示す。この手順は、端末デバイスによって実行される可能性がある。
【００５２】
図２に示すように、手順は具体的に以下のステップを含む。
【００５３】
ステップ２０１：端末デバイスは、ＵＣＩを送信するためのリソース量を、第１情報に基づいて決定する。
【００５４】
ステップ２０２：端末デバイスは、ＵＣＩを送信するための決定されたリソース量に基づいて、ＵＣＩをネットワーク・デバイスへ送信する。
【００５５】
本願において、ＵＣＩは、以下の情報を含むが、これらに限定されない：ハイブリッド自動再送要求確認（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，ＨＡＲＱ−ＡＣＫ）、スケジューリング要求（ｓｃｈｅｄｕｌｉｎｇ  ｒｅｑｕｅｓｔ，ＳＲ）、ＣＳＩパート１、ＣＳＩパート２等。ＣＳＩ情報は更に、ＣＱＩ、ＰＭＩ、及びランク指示（ｒａｎｋ  ｉｎｄｉｃａｔｉｏｎ  ＲＩ）などの情報を含んでもよい。ステップ２０１の前に、ネットワーク・デバイスは、第１指示情報を端末デバイスに送信する。第１指示情報は、スケジューリング情報、パラメータβ、及びパラメータαを含む。端末デバイスは、第１指示情報に基づいて第１情報を決定してもよい。第１情報は、以下の情報の組み合わせ：スケジューリング情報、データのビット数に対するＵＣＩのビット数の比、第１プリセット・パラメータ、パラメータβ、及びＰＵＳＣＨの利用可能なリソース量の組み合わせ；スケジューリング情報、第１プリセット・パラメータ、パラメータβ、ＰＵＳＣＨの利用可能なリソース量、及びスケジューリングされたデータの符号化率の組み合わせ；スケジューリング情報、データのビット数に対するＵＣＩのビット数の比、第１プリセット・パラメータ、パラメータβ、ＰＵＳＣＨの利用可能なリソース量、及びパラメータαの組み合せ；等々のうちの何れかの組み合わせを含む可能性がある。これらの情報の組み合わせは単なる例であり、本願はそれに制限を設けていない。本願では、リソースの量は、ＲＥの量であってもよい。これは単なる例に過ぎず、制限は設けられていない。なお、ＵＣＩのビット数、データのビット数、及びＰＵＳＣＨの利用可能なリソース量は、ネットワーク・デバイスと端末デバイスとの両方によって合意されており、ネットワーク・デバイスによって送信されることなく端末デバイスによって決定される可能性があることに留意を要する。
【００５６】
第１プリセット・パラメータは、ＰＵＳＣＨのためにスケジューリングされた周波数ドメインのリソース・エレメントＲＥの量と第１プリセット値との積、及び／又はＰＵＳＣＨのシンボル数と第２プリセット値との積であってもよい。換言すれば、第１プリセット・パラメータは、ＰＵＳＣＨのためにスケジューリングされた周波数ドメインのリソース・エレメントの量と第１プリセット値との積であってもよいし、第１プリセット・パラメータは、ＰＵＳＣＨのシンボル数と第２プリセット値との積であってもよいし、第１プリセット値は、ＰＵＳＣＨのためにスケジューリングされたと周波数ドメインのリソース・エレメントの量と第１プリセット値との積、及びＰＵＳＣＨのシンボル数と第２プリセット値との積のうちの１つであってもよい。オプションとして、第１プリセット値は、帯域幅及び／又はシンボル数であってもよい。換言すれば、第１プリセット値は帯域幅であってもよいし、第１プリセット値はシンボル数であってもよいし、第１プリセット値は帯域幅及びシンボル数のうちの１つであってもよい。
【００５７】
本願では、ＬＴＥとは異なり、ＮＲにおいて、ＵＣＩ情報がＨＡＲＱ−ＡＣＫ情報である場合には、ＨＡＲＱ−ＡＣＫ情報は、２ビット未満の場合はパンクチャリング方式で送信され、２ビット以上の場合はレート・マッチング方式で送信され；ＵＣＩ情報がＣＳＩ情報である場合には、ＣＳＩ情報は更にＣＳＩパート１とＣＳＩパート２とに分割される。ＣＳＩパート１の優先度はより高く、ＣＳＩパート２の優先度はより低い。ＣＳＩパート２の値は、ＣＳＩパート１の値に基づいて決定されてもよい。ＣＳＩパート２のビット数は、ＬＴＥにおけるものよりもはるかに大きい。ＣＳＩパート１及びＣＳＩパート２は双方ともに、レート・マッチング方式で伝送される。ＮＲにおいて初期伝送中にＵＣＩとデータの適切な割り当てをサポートするために、リソースは、データのビット数に対するＵＣＩのビット数の実際の比率に基づいて適切に割り当てられることが可能である。
【００５８】
第１情報が、スケジューリング情報、ＵＣＩのビット数とデータのビット数との合計に対するＵＣＩのビット数の比、第１プリセット・パラメータ、パラメータβ、及び物理アップリンク共有チャネルＰＵＳＣＨの利用可能なリソース量の組み合わせである場合、可能な実装において、ＵＣＩを送信するためのリソースの量は、式（１）に従って決定される。
【００５９】
式（１）は：
【数１５】
2021503787.tif 000017
であり、Ｑ’はＵＣＩを送信するためのリソース量であり、ＯはＵＣＩのビット数であり、Ｂはデータのビット数であり、Ａは初期送信中のデータの利用可能なリソース量であり、Ｃは送信中のデータのスケジューリングされた利用可能なリソース量においてＵＣＩを送信するための最大リソース量であり、βｏｆｆｓｅｔＰＵＳＣＨは基準符号化率に対するＵＣＩのオフセットである。基準符号化率は、ＵＣＩのビット数とデータのビット数との合計に対する、初期送信中のデータの利用可能なリソース量の比であってもよいことに留意されたい。これは、本願の単なる一例に過ぎず、特定の制限は設定されていない。
【００６０】
オプションとして、Ｏは、ＣＲＣチェック・ビットがＵＣＩに追加された後に得られるビットの量を表してもよい。この場合、Ｂは、ＣＲＣビットがデータに追加された後に得られるビット数を表す。この場合、Ｂは、トランスポート・ブロック（ｔｒａｎｓｐｏｒｔ  ｂｌｏｃｋ，ＴＢ）がコード・ブロックにセグメント化された後に得られるビット数であり、巡回冗長検査（ｃｙｃｌｉｃ  ｒｅｄｕｎｄａｎｃｙ  ｃｈｅｃｋ，ＣＲＣ）ビットが各コード・ブックに追加される。このステップは、通常、各コード・ブックがエンコーダに入力される前に実行される。Ａは、ＵＣＩがＮＲで考慮されない場合に、初期送信中のデータの利用可能なＲＥの量を表す可能性がある。あるいは、Ａは、ＵＣＩが実際に考慮された後にデータを送信するために使用される、利用可能なＲＥの量として表現されてもよい。オプションとして、Ｏは、ＵＣＩのビット数が過度に大きい場合に、特定の規則に従って幾らかの情報が破棄された後に残存するビット数を表してもよい。
【００６１】
Ｃは、現在の送信中にデータのスケジューリングされた利用可能なＲＥにおいて、現在のＵＣＩを送信するために使用することが可能なＲＥの最大量を表すことができる。現在のＵＣＩがＣＳＩパート２であり、データ・レート・マッチング方式がＨＡＲＱ−ＡＣＫに使用される場合、可能な実装は、ＣＳＩパート１及びＨＡＲＱ−ＡＣＫのＲＥ数を除く、データのスケジューリングされたＲＥ数である。現在のＵＣＩがＣＳＩパート２であり、データ・パンクチャリング方式がＨＡＲＱ−ＡＣＫに使用される場合、可能な実装は、ＣＳＩパート１のＲＥ数を除く、データのスケジューリングされたＲＥ数である。
【００６２】
パラメータβの値を適切に設定することにより、左側の計算結果が、スケジューリングされたリソースの値Ａより小さくなるように制御できるように、ＵＣＩのビット数が分母に配置されていることを、式（１）から学ぶことができる。従って、データ・リソースは、初期送信中にＵＣＩによって全て占有されるわけではない。リソース割り当ての間、ＵＣＩのビット情報は実際にはデータのものより重要であることがわかる。従って、リソース割り当てがビット数の間の比率に完全に基づいて行われる場合、ＵＣＩの符号化率は実際にはより高い。この場合、パラメータβを適切に設定することにより、符号化率は更に調整されることが可能である。
【００６３】
データのビット数に対するＵＣＩのビット数の比率は、リソース分割のための割合ベースラインとして使用され、その比率はパラメータβを用いて更に調整され、それにより、初期送信中に全てのリソースがＵＣＩに割り当てられてデータを送信できないことを回避することができる。
【００６４】
別の可能な実装では、ＵＣＩを送信するためのリソースの量は、式（２）に従って決定される。
【数１６】
2021503787.tif 000018
Ｑ’はＵＣＩを送信するためのリソース量であり、ＯはＵＣＩのビット数であり、Ｂデータのビット数であり、Ａは初期送信中のデータの利用可能なリソース量であり、Ｃは送信中のデータのスケジューリングされた利用可能なリソース量においてＵＣＩを送信するための利用可能な最大リソース量であり、βｏｆｆｓｅｔＰＵＳＣＨはプリセット・オフセットである。。プリセット・オフセットは、経験に基づいて設定されてもよい。
【００６５】
オプションとして、Ｏは、ＣＲＣチェック・ビットがＵＣＩに追加された後に得られるビット数を表すことが可能である。この場合、Ｂは、ＣＲＣビットがデータに追加された後に得られるビット数を表す。この場合、Ｂは、ＴＢがコード・ブロックに分割され、ＣＲＣビットが各コード・ブックに追加された後に得られるビット数であるとすることが可能である。このステップは、通常、各コード・ブックがエンコーダに入力される前に実行される。Ａは、ＵＣＩがＮＲで考慮されない場合に、初期送信中のデータの利用可能なＲＥ数を表す可能性がある。あるいは、Ａは、ＵＣＩが実際に考慮された後にデータを送信するために使用される、利用可能なＲＥ数として表現される可能性がある。オプションとして、Ｏは、ＵＣＩのビット数が過度に大きい場合に、特定の規則に従って幾らかの情報が破棄された後に残存するビット数を表すことが可能である。
【００６６】
Ｃは、現在の送信中にデータのスケジューリングされた利用可能なＲＥにおいて、現在のＵＣＩを送信するために使用できる最大ＲＥ数を表すことができる。現在のＵＣＩがＣＳＩパート２であり、データ・レート・マッチング方式がＨＡＲＱ−ＡＣＫに使用される場合、可能な実装は、ＣＳＩパート１及びＨＡＲＱ−ＡＣＫのＲＥ数を除く、データのスケジューリングされたＲＥ数である。現在のＵＣＩがＣＳＩパート２であり、データ・パンクチャリング方式がＨＡＲＱ−ＡＣＫに使用される場合、可能な実装は、ＣＳＩパート１のＲＥ数を除く、データのスケジューリングされたＲＥ数である。
【００６７】
式（２）によれば、ＵＣＩのビット数に対するデータのビット数の比率を調整することにより、リソース割り当てが実行される。データのビット数に対するＵＣＩのビット数の比率は、リソース分割のための割合ベースラインとして使用され、比率は、パラメータβを使用することによって調整され、これにより、初期送信中に全てのリソースがＵＣＩに割り当てられてデータを送信できない場合を避けることができる。
【００６８】
本願は更に、ＵＣＩを送信するためのリソース量が式（３）に従って決定される可能な実装を提供する。
【００６９】
式（３）は：
【数１７】
2021503787.tif 000019
であるとすることが可能であり、Ｑ’は、ＵＣＩを送信するためのリソース量であり、ＯはＵＣＩのビット数であり、Ｂはデータのビット数であり、Ａは初期送信中のデータの利用可能なリソース量であり、Ｃは送信中のデータのスケジューリングされた利用可能なリソース量においてＵＣＩを送信するための最大リソース量であり、βｏｆｆｓｅｔＰＵＳＣＨは基準符号化率に対するＵＣＩのオフセットである。
Ｑ’は、ＵＣＩを送信するためのリソース量であり、ＯはＵＣＩのビット数であり、Ｂはデータのビット数であり、Ａは初期送信中のデータの利用可能なリソース量であり、Ｃは送信中のデータのスケジューリングされた利用可能なリソース量においてＵＣＩを送信するための最大リソース量であり、βｏｆｆｓｅｔＰＵＳＣＨはプリセット・オフセットである。プリセット・オフセットは、経験に基づいて設定することが可能である。
【００７０】
オプションとして、Ｏは、ＣＲＣチェック・ビットがＵＣＩに追加された後に得られるビット数を表すことが可能である。この場合、Ｂは、ＣＲＣビットがデータに追加された後に得られるビット数を表す。この場合、Ｂは、ＴＢがコード・ブロックに分割され、ＣＲＣビットが各コード・ブックに追加された後に得られるビット数であってもよい。このステップは、通常、各コード・ブックがエンコーダに入力される前に実行される。Ａは、ＵＣＩがＮＲで考慮されない場合に、初期送信中のデータの利用可能なＲＥ数を表す可能性がある。あるいは、Ａは、ＵＣＩが実際に考慮された後にデータを送信するために使用される利用可能なＲＥ数として表現されてもよい。オプションとして、Ｏは、ＵＣＩのビット数が過度に大きい場合に、特定の規則に従って幾らかの情報が破棄された後に残存するビット数を表すことができる。
【００７１】
Ｃは、現在の送信中にデータのスケジューリングされた利用可能なＲＥにおいて、現在のＵＣＩを送信するために使用できる最大ＲＥ数を表すことができる。現在のＵＣＩがＣＳＩパート２であり、データ・レート・マッチング方式がＨＡＲＱ−ＡＣＫに使用される場合、可能な実装は、ＣＳＩパート１及びＨＡＲＱ−ＡＣＫのＲＥ数を除く、データのスケジューリングされたＲＥ数である。現在のＵＣＩがＣＳＩパート２であり、データ・パンクチャリング方式がＨＡＲＱ−ＡＣＫに使用される場合、可能な実装は、ＣＳＩパート１のＲＥ数を除く、データのスケジューリングされたＲＥ数である。
【００７２】
式（３）によれば、ＵＣＩのビット数に対するデータのビット数の重み付け比率を調整することにより、リソース割り当てが実行される。データのビット数に対するＵＣＩのビット数の比率は、リソース分割のための割合ベースラインとして使用され、比率は、パラメータβを使用することによって調整され、これにより、初期送信中に全てのリソースがＵＣＩに割り当てられてデータを送信できない場合を避けることができる。
【００７３】
第１情報が、スケジューリング情報、第１プリセット・パラメータ、パラメータβ、ＰＵＳＣＨの利用可能なリソース量、及びデータをスケジューリングするための符号化率の組み合わせである場合、端末デバイスは、可能な実装において、式（４）に従って、ＵＣＩを送信するためのリソース量を決定する。
【００７４】
式（４）は：
【数１８】
2021503787.tif 000020
であるとすることが可能であり、Ｑ’はＵＣＩを送信するためのリソース量であり、ＯはＵＣＩのビット数であり、Ｒはデータの符号化率であり、Ｃは送信中のデータのスケジューリングされた利用可能なリソース量においてＵＣＩを送信するための最大リソース量であり、βｏｆｆｓｅｔＰＵＳＣＨはプリセット・オフセットである。プリセット・オフセットは、経験に基づいて設定することが可能である。
【００７５】
オプションとして、Ｏは、ＣＲＣチェック・ビットがＵＣＩに追加された後に得られるビット数を表すことができる。Ｃは、現在の送信中にデータのスケジューリングされた利用可能なＲＥにおいて、現在のＵＣＩを送信するために使用できる最大ＲＥ数を表すことが可能である。現在のＵＣＩがＣＳＩパート２であり、データ・レート・マッチング方式がＨＡＲＱ−ＡＣＫに使用される場合、可能な実装は、ＣＳＩパート１及びＨＡＲＱ−ＡＣＫのＲＥ数を除く、データのスケジューリングされたＲＥ数である。現在のＵＣＩがＣＳＩパート２であり、データ・パンクチャリング方式がＨＡＲＱ−ＡＣＫに使用される場合、可能な実装は、ＣＳＩパート１のＲＥ数を除く、データのスケジューリングされたＲＥ数である。オプションとして、Ｏは、ＵＣＩのビット数が過度に大きい場合に、特定の規則に従って幾らかの情報が破棄された後に残存するビット数を表してもよい。
【００７６】
式（４）におけるＲはデータの符号化率を表し、データの符号化率はＭＣＳに対応する符号化率である。ＵＥは、データ・スケジューリングで示されるＭＣＳに基づいてＲを一意的に決定し、対応するＵＣＩの利用可能なＲＥ数をＲに基づいて計算する。符号化率は、実際のデータ伝送に使用される符号化率であり、前述の問題は生じない。
【００７７】
端末デバイスは、式（４）に従って基準符号化率としてＲを使用し、パラメータβを利用することで符号化率を調整し、その結果、初期送信時に全てのリソースがＵＣＩに割り当てられてデータを送信できない場合を避けることができる。
【００７８】
第１情報が、スケジューリング情報、データのビット数に対するＵＣＩのビット数の比率、第１プリセット・パラメータ、パラメータβ、ＰＵＳＣＨの利用可能なリソース量、及びパラメータαの組み合わせである場合、端末デバイスは、可能な実装において、式（５）に従って、ＵＣＩを送信するためのリソース量を決定する。
【００７９】
式（５）は：
【数１９】
2021503787.tif 000021
であるとすることが可能であり、Ｑ’はＵＣＩを送信するためのリソース量であり、ＯはＵＣＩのビット数であり、Ｂはデータのビット数であり、Ａは初期送信中のデータの利用可能なリソース量であり、Ｃは送信中のデータのスケジューリングされた利用可能なリソース量においてＵＣＩを送信するための最大リソース量であり、βｏｆｆｓｅｔＰＵＳＣＨは基準符号化率に対するＵＣＩのオフセットであり、αはパラメータである。この場合、基準符号化率は、データのビット数に対する、初期送信中のデータの利用可能なリソース量の比であってもよい。これは、本願の単なる一例に過ぎず、制限は設けられていない。
【００８０】
オプションとして、Ｏは、ＣＲＣチェック・ビットがＵＣＩに追加された後に得られるビット数を表すことができます。この場合、Ｂは、ＣＲＣビットがデータに追加された後に得られるビット数を表す。この場合、Ｂは、ＴＢがコード・ブロックに分割され、ＣＲＣビットが各コード・ブックに追加された後に得られるビット数であってもよい。このステップは、通常、各コード・ブックがエンコーダに入力される前に実行される。Ａは、ＵＣＩがＮＲで考慮されない場合に、初期送信中のデータの利用可能なＲＥ数を表すことが可能である。あるいは、Ａは、ＵＣＩが実際に考慮された後にデータを送信するために使用される利用可能なＲＥ数として表現されてもよい。オプションとして、Ｏは、ＵＣＩのビット数が過度に大きい場合に、特定の規則に従って幾らかの情報が破棄された後に残存するビット数を表すことができる。
【００８１】
Ｃは、現在の送信中にデータのスケジューリングされた利用可能なＲＥにおいて、現在のＵＣＩを送信するために使用できる最大ＲＥ数を表すことが可能である。現在のＵＣＩがＣＳＩパート２であり、データ・レート・マッチング方式がＨＡＲＱ−ＡＣＫに使用される場合、可能な実装は、ＣＳＩパート１及びＨＡＲＱ−ＡＣＫのＲＥ数を除く、データのスケジューリングされたＲＥ数である。現在のＵＣＩがＣＳＩパート２であり、データ・パンクチャリング方式がＨＡＲＱ−ＡＣＫに使用される場合、可能な実装は、ＣＳＩパート１のＲＥ数を除く、データのスケジューリングされたＲＥ数である。
【００８２】
ＵＣＩの値を制限し、ＵＣＩが利用可能なＲＥ全てを占有することを避けるために、式（５）の右側の項目にパラメータαが追加されている。オプションとして、パラメータαは通常１より小さい。パラメータαは、シグナリングを利用することによって、例えばより高いレイヤのシグナリングを利用することによって構成されてもよく、それは例えばＲＲＣシグナリングであってもよいし、ＭＡＣ−ＣＥによって搬送されてもよい。
【００８３】
端末デバイスは、パラメータαを使用することにより、ＵＣＩが占有するＲＥを制限し、それにより、初期送信時に全てのリソースがＵＣＩに割り当てられてデータを送信できない場合を避けることができる。
【００８４】
上記の式（１）ないし（５）におけるＣの値は、ＵＣＩのマッピング方法と強く相関しており、換言すれば、Ｃの値はＵＣＩのマッピング方法に関連していることに留意する必要がある。ＡＣＫとＣＳＩの両方が周波数ドメインの異なるＲＢのＲＥに分散されることが可能であることに基づいて、可能性のあるＵＣＩマッピング方法は、以下の幾つかの方法であるとすることが可能である。
【００８５】
方法１：時間ドメインに制限があり、周波数ドメインに増加がある。
【００８６】
ＵＣＩが時間ドメイン・リソースにマッピングされるシンボル数は第３プリセット値以下であり、ＵＣＩが周波数ドメイン・リソースにマッピングされるシンボル数はＵＣＩタイプに関連する。第３プリセット値は、復調リファレンス信号（ｄｅｍｏｄｕｌａｔｉｏｎ  ｒｅｆｅｒｅｎｃｅ  ｓｉｇｎａｌ，ＤＭＲＳ）近傍のプリセット・シンボル数、ＰＵＳＣＨのシンボル数に関連する値、ＰＵＳＣＨが周波数ホッピングをサポートするか否かに関連する値、追加のＤＭＲＳがサポートされるか否かに関連する値、等々のうちの１つ以上である。
【００８７】
例えば、図３に示すように、第３プリセット値は、ＤＭＲＳ付近のプリセット・シンボル数であってもよく、経験に基づいて設定された固定値であってもよく、例えばＤＭＲＳ付近の固定Ｎシンボルを示してもよく、ここでＮは１以上である。図３のＡに示すように、Ｎは２であり、第３プリセット値は２である。この場合、Ｃの値はシンボル数２と帯域幅との積である。
【００８８】
第３プリセット値は、ＰＵＳＣＨのシンボル数に関連する値であり、ＰＵＳＣＨの時間ドメイン長指標に関連し、ＰＵＳＣＨの時間ドメイン指標テーブルに基づいて具体的に決定される。図３のＢに示すように、ＰＵＳＣＨが７シンボルである場合、第３プリセット値は１シンボルを示し；ＰＵＳＣＨが１４シンボルである場合、第３プリセット値は２シンボルを示す。例えば、ＰＵＳＣＨが７シンボルである場合、Ｃの値はシンボル数１と帯域幅との積であってもよい。
【００８９】
第３プリセット値は、ＰＵＳＣＨが周波数ホッピングをサポートしているかどうかに関連する値である可能性がある。図３のＣに示すように、周波数ホッピングがサポートされる場合、シンボルは、周波数ホッピング・リソース上で対称的に分散される。例えば、ＰＵＳＣＨが周波数ホッピングをサポートしない場合、その値はシンボル１又は２を示す。ＰＵＳＣＨが周波数ホッピングをサポートする場合、その値はシンボル１及びシンボル８を示す。例えば、ＰＵＳＣＨが周波数ホッピングをサポートしない場合、Ｃの値はシンボル数１と帯域幅との積であってもよい。
【００９０】
あるいは、第３プリセット値は、追加のＤＭＲＳがサポートされるかどうかに関連する値であってもよい。１つのＤＭＲＳが存在する場合、シンボル数は１であり、２つのＤＭＲＳが存在する場合、シンボル数は２である。例えば、１つのＤＭＲＳが存在する場合、Ｃの値は、シンボル数１と帯域幅との積であってもよい。
【００９１】
これら幾つものケースにおいて、上記の式（１）ないし（５）におけるＣの値は、ＰＵＳＣＨのためにスケジューリングされた帯域幅とシンボル数との積であることに留意すべきである。
【００９２】
オプションとして、ＵＣＩは周波数ドメインで離散的にマッピングされ、離散的な分配の単位は、リソース・ブロック（ｒｅｓｏｕｒｃｅ  ｂｌｏｃｋ，ＲＢ）、リソース・ブロック・グループ（ｒｅｓｏｕｒｃｅ  ｂｌｏｃｋ  ｇｒｏｕｐ，ＲＢＧ）、プリコーディング・リソース・グループ（ｐｒｅｃｏｄｉｎｇ  ｒｅｓｏｕｒｃｅ  ｇｒｏｕｐ，ＰＲＧ）、サブバンド（ｓｕｂｂａｎｄ）である可能性がある。
【００９３】
周波数ドメインにおけるＵＣＩの可能なマッピング方法は、先ずＵＣＩが大きな粒度でマッピングされ、次に小さな粒度でマッピングされることである。図４Ａ、図４Ｂ、図５Ａ、及び図５Ｂに示すように、ＵＣＩは、番号順にマッピングされ、先ずＲＢＧ範囲内にマッピングされ、即ちＵＣＩは以下のシーケンス：ＲＢＧ  ０のうちのＲＢ  ０における第１ＲＥ、ＲＢＧ  １のうちのＲＢ  ０における第１ＲＥ、ＲＢＧ  ０のうちのＲＢ  １における第１ＲＥ、及びＲＢＧ  １のうちのＲＢ  １における第１ＲＥにマッピングされる。
【００９４】
本願では、ＵＣＩのうちでグラフで表現されている場所は、ＵＣＩの利用可能なリソースの場所であり、数字でマークされた場所はＵＣＩ情報によって占有されるリソースの場所であることに留意すべきである。本願における全ての数は単なる例示に過ぎず、制限は設けられていない。後続のタイプについても同じ説明が提供される。
【００９５】
本願におけるＲＢ及びＲＢＧは周波数ドメインにおける異なる粒度の具体例に過ぎないことに留意すべきである。ＵＣＩが先ず大きな粒度でマッピングされ、次に小さな粒度でマッピングされるという条件を満たす如何なるマッピング方法も、本願の保護範囲に含まれるものとする。ＲＢにおける第１ＲＥにマッピングすることは、ただ１つの方法であるに過ぎず、代替的にＵＣＩは事前に定められた方法でＲＢ内の任意のＲＥにマッピングされてもよい。
【００９６】
図４Ａ及び図４ＢにおけるＡ及びＢは、ＵＣＩが先ず１つのシンボルにマッピングされる例を示し、「周波数ドメイン先行」マッピング方法が使用されている。図４Ａ及び図４ＢにおけるＢは、ＵＣＩによって占有される場所が相対的に互いにずれていることを示す。図５Ａ及び図５ＢにおけるＡ及びＢは、「時間ドメイン先行」方法を示し、図５Ａ及び図５ＢにおけるＢは、ＵＣＩによって占有される場所が相対的に互いにずれていることを示す。複数のシンボルの場合、ＡＣＫに対してパンクチャリングが実行される場合にデータ又はＣＳＩへの影響を減らすために、２つのシンボル間で特定のオフセットを実行することを更に考慮することができる。
【００９７】
方法２：周波数ドメインに制限があり、時間ドメインに増加がある。
【００９８】
ＵＣＩが周波数ドメイン・リソースにマッピングされるシンボル数は第４プリセット値以下であり、ＵＣＩが時間ドメイン・リソースにマッピングされるシンボル数はＵＣＩタイプに関連する。第４プリセット値は、プリセットＲＥ数、ＰＵＳＣＨのシンボル数に関連する値、ＰＵＳＣＨの帯域幅に関連する値、ＰＵＳＣＨの位相トラッキング・リファレンス信号（ｐｈａｓｅ  ｔｒａｃｋｉｎｇ  ｒｅｆｅｒｅｎｃｅ  ｓｉｇｎａｌ，ＰＴＲＳ）に関連する値などのうちの１つ以上である。
【００９９】
第３プリセット値は、プリセットＲＥ数であってもよい。図６のＡに示されるように、プリセットＲＥ数は、経験に基づいて設定される固定値であってもよく、その値は、例えば、２、３又は４であってもよい。この場合、Ｃの値は、時間ドメインにおけるシンボル数とＲＥ数との積である。
【０１００】
第３プリセット値は、ＰＵＳＣＨのシンボルの数に関連する値であってもよい。図６のＢに示すように、シンボル数が比較的少ない場合、その値は相対的に大きい。例えば、ＰＵＳＣＨが１４シンボルの場合、その値は２つのＲＥを示し、ＰＵＳＣＨが７シンボルの場合、その値は４つのＲＥを示す。ＰＵＳＣＨ内のＲＥの周波数ドメイン位置は予め定められていてもよく、例えば帯域幅エッジ上のＲＥであってもよいし、あるいはＲＢＧが帯域幅関連である場合に或るＲＢＧ内の或るＲＥであってもよい。例えば、ＰＵＳＣＨが１４シンボルである場合、その値は２つのＲＥを示し、Ｃの値はＲＥ数２と時間ドメインのシンボル数との積である。
【０１０１】
第３プリセット値は、ＰＵＳＣＨの帯域幅に関連する値であってもよい。図６のＣに示すように、帯域幅が比較的大きい場合、その値は相対的に大きい。ＰＵＳＣＨが１つのＲＢである場合、その値は１つのＲＥを示す。ＰＵＳＣＨが２つのＲＢである場合、その値は２つのＲＥを示す。具体的に、第３プリセット値は、周波数ドメインの離散的な粒度、例えばＲＢ、ＲＢＧ、ＰＲＧ、又はサブバンドに代替的に関連付けられることが可能である。例えば、ＰＵＳＣＨが１つのＲＢである場合、その値は１つのＲＥを示し、Ｃの値はＲＥ数１と時間ドメインのシンボル数との積である。
【０１０２】
第３プリセット値は、ＰＵＳＣＨのＰＴＲＳに関連する値であってもよい。ＰＴＲＳが存在する場合、ＰＴＲＳ近傍の位置は、ＲＥの位置として選択され、比較的良好な周波数オフセット補正及びチャネル推定効果を達成することができる。複数のＰＴＲＳが存在する場合には、ＰＴＲＳと同数のＲＥが選択され、その詳細は図７に示されるものであってもよい。ＰＴＲＳにより占有される場所は、ＵＣＩの利用可能なリソースではない。
【０１０３】
これらの場合において、上記の式（１）ないし（５）におけるＣの値は、周波数ドメインにおけるＲＥ数と時間ドメインにおけるシンボル数との積であることに留意すべきである。
【０１０４】
オプションとして、ＵＣＩは時間ドメインで離散的にマッピングされてもよく、離散的な配分の単位はミニ・スロット（ｍｉｎｉｓｌｏｔ）又はスロット・アグリゲーション（ｓｌｏｔ  ａｇｇｒｅｇａｔｉｏｎ）であってもよい。
【０１０５】
特定のＲＥマッピング・シーケンスに関し、図８Ａ及び図８ＢのＡ及びＢにおける「周波数ドメイン先行」及び「時間ドメイン先行」という２種類の考え方が存在する。「周波数ドメイン先行」は図８ＢのＢに対応し、「時間ドメイン先行」は図８ＡのＡに対応する。
【０１０６】
本願のＵＣＩは任意のタイプのＵＣＩである可能性があり、ＨＡＲＱ−ＡＣＫ、ＣＳＩパート１、又はＣＳＩパート２であってもよい。オプションとして、ＵＳＩはＣＳＩパート１又はＡＣＫである。
【０１０７】
ＡＣＫとＣＳＩパート１のマッピング方法は一貫性を維持していてもよい。ＡＣＫ及びＣＳＩパート１の両方が存在する場合、利用可能なリソースは更に均等に割り当てられる可能性がある。例えば、方法１のＲＢＧの場合、ＣＳＩパート１は、ＲＧＢ番号が奇数であるリソースにマッピングされ、ＣＳＩパート２は、ＲＧＢ番号が偶数であるリソースにマッピングされる。奇数番号のリソース及び偶数番号のリソースの中で、方法１の説明に基づいて割り当てが更に実行される。
【０１０８】
別の例に関し、方法２において、周波数ドメイン内のＲＥ数も均等に割り当てられ、奇数番号の利用可能なＲＥがＣＳＩパート１に使用され、偶数番号の利用可能なＲＥがＡＣＫに使用される。ＡＣＫとＣＳＩパート１のマッピング方法を一貫性のあるものに保つことは、プロトコルを単純化するのに役立つ。
【０１０９】
更に、ＣＳＩパート２を送信するために、ＣＳＩパート２及びデータに対して多重化が実行されてもよい。「周波数ドメイン先行」マッピング方法がデータについて使用されるので、ＣＳＩパート２及びデータに対して多重化が実行された後に、ＣＳＩパート２がマッピングされることを要する。
【０１１０】
簡易な方法において、ＨＡＲＱ−ＡＣＫがパンクチャリング方法でマッピングされる場合、ＣＳＩパート１のマッピングが終了した後、ＣＳＩパート２がデータの前に配置され、次いでＣＳＩパート２が、データとともに「周波数ドメイン先行」方法でマッピングされる。ＣＳＩパート１は、マッピング・プロセスでスキップされることを必要とする。
【０１１１】
ＨＡＲＱ−ＡＣＫがレート・マッチング方式でマッピングされる場合、図９ＡのＡに示すように、ＨＡＲＱ−ＡＣＫのマッピングとＣＳＩパート１のマッピングの両方が終了した後に、ＣＳＩパート２とデータとがマッピングされ始める。マッピング中に、ＨＡＲＱ−ＡＣＫ及びＣＳＩパート１により占有される場所は、ＣＳＩパート２に関してスキップされる必要がある。
【０１１２】
図９ＢのＢは、ＣＳＩパート１とＡＣＫがマッピングされた後に、ＣＳＩパート２がマッピングされ、ＣＳＩパート２のマッピング中に、ＣＳＩパート１及びＡＣＫにより占有されているシンボルはスキップされており；そして、その後にデータがマッピングされることを示す。マッピング中に、ＣＳＩパート１及びＡＣＫにより占有されるシンボルは、ＣＳＩパート２に関してスキップされることを要する。
【０１１３】
図９ＣのＣは、周波数ホッピングの場合に、二部マッピング方法が使用されていることを示す。マッピングは、リソースの２つの部分で「時間ドメイン先行」で実行される。
【０１１４】
方法２のマッピング方法が使用される場合に、ＣＳＩパート２のマッピング方法は、図１０Ａ及び図１０Ｂに示されるものであってもよい。
【０１１５】
オプションとして、ネットワーク・デバイスは、設定されたリソース内にあるようにＵＣＩを制御する可能性があるので、前述の式（１）ないし（４）は簡略化される可能性がある。具体的には、端末デバイスは、以下の式（６）、式（７）、式（８）又は式（９）に従って、ＵＣＩを送信するためのリソース量を決定する可能性がある。
【０１１６】
式（６）は：
【数２０】
2021503787.tif 000022
であり、Ｑ’はＵＣＩを送信するためのリソース量であり、ＯはＵＣＩのビット数であり、Ｂはデータのビット数であり、Ａは初期送信中のデータの利用可能なリソース量であり、βｏｆｆｓｅｔＰＵＳＣＨは基準符号化率に対するＵＣＩのオフセットである。
【０１１７】
式（７）は：
【数２１】
2021503787.tif 000023
であり、Ｑ’はＵＣＩを送信するためのリソース量であり、ＯはＵＣＩのビット数であり、Ｂはデータのビット数であり、Ａは初期送信中のデータの利用可能なリソース量であり、βｏｆｆｓｅｔＰＵＳＣＨはプリセット・オフセットである。
【０１１８】
式（８）は：
【数２２】
2021503787.tif 000024
であり、Ｑ’はＵＣＩを送信するためのリソース量であり、ＯはＵＣＩのビット数であり、Ｂはデータのビット数であり、Ａは初期送信中のデータの利用可能なリソース量であり、βｏｆｆｓｅｔＰＵＳＣＨはプリセット・オフセットである。
【０１１９】
式（９）は：
【数２３】
2021503787.tif 000025
であり、Ｑ’はＵＣＩを送信するためのリソース量であり、ＯはＵＣＩのビット数であり、Ｒはデータの符号化率であり、βｏｆｆｓｅｔＰＵＳＣＨはプリセット・オフセットである。
【０１２０】
前述の式（６）ないし（９）のパラメータは、前述の実施形態において既に説明されており、詳細はここでは説明しない。
【０１２１】
前述の実施形態では、端末デバイスは、ＵＣＩを送信するためのリソース量を第１情報に基づいて決定することが示されており、第１情報は、以下の情報の組み合わせ：スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；スケジューリング情報、第１プリセット・パラメータ、パラメータβ、ＰＵＳＣＨの利用可能なリソース量、及びスケジューリング・データの符号化率の組み合わせ；又はスケジューリング情報、データのビット数に対するＵＣＩのビット数の比率、第１プリセット・パラメータ、パラメータβ、ＰＵＳＣＨの利用可能なリソース量、及びパラメータαの組み合わせのうちの任意の何れかを含み、端末デバイスは、ＵＣＩを送信するために決定されたリソースの量に基づいて、ＵＣＩをネットワーク・デバイスへ送信する。端末デバイスは、ＵＣＩを送信するためのリソース量を決定する場合に、リソース分割のための割合ベースラインとして、データのビット数に対するＵＣＩのビット数の比を使用するので、初期送信中に全てのリソースがＵＣＩに割り当てられてデータを送信できない場合を避けることができる。
【０１２２】
図１１は、同一の技術的概念に基づく、本願による装置の概略図である。装置は、端末デバイスであるとすることが可能であり、上記の実施形態のうちの何れかにおいて端末デバイスにより実行される方法を実行することが可能である。
【０１２３】
端末デバイス１１００は、少なくとも１つのプロセッサ１１０１及びトランシーバ１１０２を含み、オプションとしてメモリ１１０３を更に含む。プロセッサ１１０１、トランシーバ１１０２、及びメモリ１１０３は、互いに接続される。
【０１２４】
プロセッサ１１０１は、汎用中央処理装置、マイクロプロセッサ、特定用途向け集積回路、又は本願の実施形態におけるプログラムの実行を制御するように構成された１つ以上の集積回路であってもよい。
【０１２５】
トランシーバ１１０２は、他の装置又は通信ネットワークと通信するように構成され、トランシーバは無線周波回路を含む。
【０１２６】
メモリ１１０３は、リード・オンリ・メモリ又は静的な情報及び命令を記憶することが可能な他の種類の静的記憶装置、ランダム・アクセス・メモリ又は情報及び命令を記憶することが可能な他の種類の動的記憶装置である可能性あり、又は、電気的に消去可能なプログラマブル・リード・オンリ・メモリ、コンパクト・ディスク・リード・オンリ・メモリ又は他のコンパクト・ディスク・ストレージ、光ディスク・ストレージ（コンパクト・ディスク、レーザー・ディスク、光ディスク、デジタル多用途ディスク、ブルーレイ・ディスク等を含む）、磁気ディスク記憶媒体又は他の磁気記憶装置、又は命令又はデータ構造の形式で、予想されるプログラム・コードを搬送又は記憶するために使用されることが可能であって、コンピュータによりアクセスされることが可能な他の任意の媒体であってもよい。しかしながら、メモリ１１０３はこれに限定されない。メモリ１１０３は、独立して存在する可能性があり、プロセッサ１１０１に接続される。あるいは、メモリ１１０３は、プロセッサに統合されてもよい。メモリ１１０３は、本願の実施形態を実行するためのアプリケーション・プログラム・コードを格納するように構成され、実行はプロセッサ１１０１によって制御される。プロセッサ１１０１は、メモリ１１０３に記憶されたアプリケーション・プログラム・コードを実行するように構成される。
【０１２７】
特定の実装の際に、実施形態において、プロセッサ１１０１は、図１１におけるＣＰＵ０及びＣＰＵ１のような１つ以上のＣＰＵを含んでもよい。
【０１２８】
特定の実装の際に、実施形態において、端末デバイス１１００は、図１１におけるプロセッサ１１０１及びプロセッサ１１０８のような複数のプロセッサを含んでもよい。各プロセッサは、シングルコア（ｓｉｎｇｌｅ−ＣＰＵ）プロセッサであってもよいし、マルチコア（ｍｕｌｔｉ−ＣＰＵ）プロセッサであってもよい。ここで、プロセッサは、データ（例えば、コンピュータ・プログラム命令）を処理するための１つ以上のデバイス、回路、及び／又は処理コアであってもよい。
【０１２９】
端末デバイスは、本願で提供されるアップリンク制御情報伝送方法において、端末デバイスにより実行されるステップを実装するように構成されてもよいことが理解されるべきである。関連する機能については、前述の説明を参照されたい。詳細はここでは説明されない。
【０１３０】
本願では、端末デバイスは前述の方法例に基づいて機能モジュールに分割されてもよい。例えば、機能モジュールは、対応する機能に基づく分割により得られてもよいし、２つ以上の機能が１つの処理モジュールに統合されてもよい。統合モジュールは、ハードウェアの形態で実装されてもよいし、ソフトウェア機能モジュールの形態で実装されてもよい。本願においては、モジュール分割は一例であり、単なる論理な機能分割に過ぎないことに留意すべきである。実際の実装の際に、別の分割方法が存在する可能性がある。例えば、機能モジュールが、対応する機能に基づく分割により得られる場合、図１２は装置の概略図である。装置は、前述の実施形態における端末デバイスであってもよい。装置は、処理ユニット１２０１及び通信ユニット１２０２を含む。
【０１３１】
処理ユニット１２０１は、ＵＣＩを送信するためのリソース量を第１情報に基づいて決定するように構成される。第１情報は、以下の情報の組み合わせ：スケジューリング情報、ＵＣＩのビット数とデータのビット数との合計に対するＵＣＩのビット数の比率、第１プリセット・パラメータ、パラメータβ、及びＰＵＳＣＨの利用可能なリソース量の組み合わせ；スケジューリング情報、第１プリセット・パラメータ、パラメータβ、ＰＵＳＣＨの利用可能なリソース量、及びスケジューリングされたデータの符号化率の組み合わせ；又はスケジューリング情報、データのビット数に対するＵＣＩのビット数の比率、第１プリセット・パラメータ、パラメータβ、ＰＵＳＣＨの利用可能なリソース量、及びパラメータαの組み合わせのうちの何れか１つを含む。
【０１３２】
通信ユニット１２０２は、ＵＣＩを送信するためのものであって処理ユニット１２０１により決定されたリソース量に基づいて、ＵＣＩをネットワーク・デバイスへ送信するように構成される。
【０１３３】
オプションとして、第１プリセット・パラメータは、ＰＵＳＣＨに対するスケジューリングされた周波数ドメインのリソース・エレメントＲＥの量と第１プリセット値との積、及び／又はＰＵＳＣＨのシンボル数と第２プリセット値との積である。
【０１３４】
オプションとして、第１プリセット値は帯域幅及び／又はシンボル数である。
【０１３５】
オプションとして、処理ユニット１２０１は、具体的に：
式（１）、式（２）、式（３）、式（４）、又は式（５）に従って、ＵＣＩを送信するためのリソース量を決定するように構成される。
【０１３６】
式（１）は：
【数２４】
2021503787.tif 000026
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットである。
【０１３７】
式（２）は：
【数２５】
2021503787.tif 000027
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットである。
【０１３８】
式（３）は：
【数２６】
2021503787.tif 000028
【０１３９】
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨはプリセット・オフセットである。
【０１４０】
式（４）は：
【数２７】
2021503787.tif 000029
であり、Ｑ’はＵＣＩを送信するためのリソース量であり、ＯはＵＣＩのビット数であり、Ｒはデータの符号化率であり、Ｃは伝送中のデータのスケジューリングされた利用可能なリソース量においてＵＣＩを伝送するための最大リソース量であり、βｏｆｆｓｅｔＰＵＳＣＨはプリセット・オフセットである。
【０１４１】
式（５）は：
【数２８】
2021503787.tif 000030
であり、Ｑ’はＵＣＩを送信するためのリソース量であり、ＯはＵＣＩのビット数であり、Ｂはデータのビット数であり、Ａは初期伝送中のデータの利用可能なリソース量であり、Ｃは伝送中のデータのスケジューリングされた利用可能なリソース量においてＵＣＩを伝送するための最大リソース量であり、βｏｆｆｓｅｔＰＵＳＣＨは基準符号化率に対するＵＣＩのオフセットであり、αはパラメータである。
【０１４２】
オプションとして、Ｃの値はＵＣＩのマッピング方法に関連付けられる。ＵＣＩのマッピング方法は、ＵＣＩが時間ドメイン・リソースにマッピングされるシンボル数は第３プリセット値以下であり、ＵＣＩが周波数ドメイン・リソースにマッピングされるシンボル数はＵＣＩタイプに関連すること、又はＵＣＩが周波数ドメイン・リソースにマッピングされるシンボル数は第４プリセット値以下であり、ＵＣＩが時間ドメイン・リソースにマッピングされるシンボル数はＵＣＩタイプに関連することを含む。
【０１４３】
オプションとして、第３プリセット値は、以下の値：
ＤＭＲＳ付近のプリセット・シンボル数、ＰＵＳＣＨのシンボル数に関連する値、ＰＵＳＣＨが周波数ホッピングをサポートしているか否かに関連する値、及び追加的なＤＭＲＳがサポートされているか否かに関連する値のうちの１つ以上である。
【０１４４】
オプションとして、第４プリセット値は、以下の値：
プリセット・リソース・エレメントＲＥ数、ＰＵＳＣＨのシンボル数に関連する値、ＰＵＳＣＨの帯域幅に関連する値、及びＰＵＳＣＨの位相トラッキング・リファレンス信号ＰＴＲＳに関連する値のうちの１つ以上である。
【０１４５】
端末デバイスは、本願のアップリンク制御情報伝送方法において、端末デバイスにより実行されるステップを実行するように構成され得ることが理解されるべきである。関連する機能については、前述の説明を参照されたい。詳細はここでは説明されない。
【０１４６】
本願は更に、処理要素及び記憶要素を含む通信装置を提供する。記憶要素は、プログラムを格納するように構成されており、プログラムが処理要素により呼び出されると、通信装置は、前述のアップリンク制御情報伝送方法を実行するように構成されている。
【０１４７】
本願は更に、前述のネットワーク・デバイス又は端末デバイスによって使用されるコンピュータ・ソフトウェア命令を記憶するように構成されるコンピュータ記憶媒体を提供し、コンピュータ記憶媒体は、前述の方法の実施形態を実行するように設計されたプログラム・コードを含む。
【０１４８】
本願の実施形態は、方法、システム、コンピュータ・プログラム・プロダクトとして提供され得ることを、当業者は理解すべきである。従って、本願の実施形態は、ハードウェアのみの実施形態、ソフトウェアのみの実施形態、又はソフトウェアとハードウェアの組み合わせによる実施形態という形態を使用することができる。更に、本願の実施形態は、コンピュータで利用可能なプログラム・コードを含む、１つ以上のコンピュータ利用可能記憶媒体（限定ではないが、磁気ディスク・メモリ、ＣＤ−ＲＯＭ、光メモリなどを含む）に実装されるコンピュータ・プログラム・プロダクトの形態を使用することができる。
【０１４９】
本願の実施形態は、本願の実施形態による方法、デバイス（システム）、及びコンピュータ・プログラム・プロダクトのフローチャート及び／又はブロック図を参照して説明されている。コンピュータ・プログラム命令は、フローチャート及び／又はブロック図の各プロセス及び／又は各ブロック、並びに、フローチャート及び／又はブロック図のプロセス及び／又はブロックの組み合わせを実現するために使用され得ることが理解されるべきである。これらのコンピュータ・プログラム命令は、汎用コンピュータ、専用コンピュータ、埋め込みプロセッサ、又は別のプログラマブル・データ処理装置のプロセッサに、マシンを生成するために提供され、それにより、コンピュータ又は別のプログラマブル・データ処理装置のプロセッサによって実行される命令は、フローチャートの１つ以上のプロセス及び／又はブロック図の１つ以上のブロックにおける特定の機能を実現するための装置を生成する。
【０１５０】
これらのコンピュータ・プログラム命令は、代替的に、コンピュータ又は他のプログラマブル・データ処理装置に特定の方法で動作するように命令することができるコンピュータ読み取り可能メモリに格納されてもよく、その結果、コンピュータ読み取り可能メモリに格納された命令は、命令装置を含むアーチファクトを生成する。命令装置は、フローチャートにおける１つ以上のプロセス及び／又はブロック図における１つ以上のブロックの特定の機能を実現する。
【０１５１】
これらのコンピュータ・プログラム命令は、代替的に、コンピュータ又は他のプログラマブル・データ処理装置にロードされる可能性があり、その結果、一連の動作及びステップがコンピュータ又は他のプログラマブル装置で実行され、それにより、コンピュータ実装処理を生成する。従って、コンピュータ又は別のプログラマブル装置で実行される命令は、フローチャートにおける１つ以上のプロセス及び／又はブロック図における１つ以上のブロックの特定の機能を実現するためのステップを提供する。
【０１５２】
明らかに、当業者は、本願の精神及び範囲から逸脱することなく、本願の実施態様に種々の修正及び変更を加えることが可能であることは明らかである。かくて、本願は、本願の実施形態のこれらの修正及び変形を、それらが本願の特許請求の範囲及びその均等な技術に含まれることを条件として、包含するように意図されている。
【図１】
2021503787.tif 000041
【図２】
2021503787.tif 000042
【図３】
2021503787.tif 000043
【図４Ａ】
2021503787.tif 000044
【図４Ｂ】
2021503787.tif 000045
【図５Ａ】
2021503787.tif 000046
【図５Ｂ】
2021503787.tif 000047
【図６】
2021503787.tif 000048
【図７】
2021503787.tif 000049
【図８Ａ】
2021503787.tif 000050
【図８Ｂ】
2021503787.tif 000051
【図９Ａ】
2021503787.tif 000052
【図９Ｂ】
2021503787.tif 000053
【図９Ｃ】
2021503787.tif 000054
【図１０Ａ】
2021503787.tif 000055
【図１０Ｂ】
2021503787.tif 000056
【図１１】
2021503787.tif 000057
【図１２】
2021503787.tif 000058
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
アップリンク制御情報伝送方法であって、前記方法は：
アップリンク制御情報（ＵＣＩ）を送信するためのリソース量を、第１情報に基づいて決定するステップであって、前記第１情報は、スケジューリング情報、データのビット数に対する前記ＵＣＩのビット数の比率、第１プリセット・パラメータ、パラメータβ、物理アップリンク共有チャネル（ＰＵＳＣＨ）の利用可能なリソース量、及びパラメータαを含み、前記パラメータβは前記ＵＣＩのオフセットであり、前記パラメータαは上位レイヤ・シグナリングにより設定される、ステップ；及び
前記ＵＣＩを送信するために決定された前記リソース量に基づいて前記ＵＣＩをネットワーク・デバイスへ送信するステップ；
を含む方法。
【請求項２】
前記第１プリセット・パラメータは、前記ＰＵＳＣＨに対するスケジューリングされた周波数ドメインのリソース・エレメント（ＲＥ）数と第１プリセット値との積、及び／又は前記ＰＵＳＣＨのシンボル数と第２プリセット値との積である、請求項１に記載の方法。
【請求項３】
前記第１プリセット値は帯域幅及び／又はシンボル数である、請求項２に記載の方法。
【請求項４】
前記ＵＣＩを送信するための前記リソース量は：
【数３３】
2021503787.tif 000059
を充足し、Ｑ’は前記ＵＣＩを送信するための前記リソース量であり、Ｏは前記ＵＣＩの前記ビット数であり、Ｂは前記データの前記ビット数であり、Ａは初期伝送中の前記データの利用可能なリソース量であり、Ｃは伝送中の前記データのスケジューリングされた利用可能なリソース量において前記ＵＣＩを伝送するための最大リソース量であり、βｏｆｆｓｅｔＰＵＳＣＨは基準符号化率に対する前記ＵＣＩのオフセットであり、αはパラメータである；
請求項１−３のうちの何れか１項に記載の方法。
【請求項５】
Ｃの値は前記ＵＣＩのマッピング方法に関連付けられ、前記ＵＣＩの前記マッピング方法は、
前記ＵＣＩが時間ドメイン・リソースにマッピングされるシンボル数は第３プリセット値以下であり、前記ＵＣＩが周波数ドメイン・リソースにマッピングされるシンボル数はＵＣＩタイプに関連すること、又は
前記ＵＣＩが周波数ドメイン・リソースにマッピングされるシンボル数は第４プリセット値以下であり、前記ＵＣＩが時間ドメイン・リソースにマッピングされるシンボル数はＵＣＩタイプに関連することを含む、請求項４に記載の方法。
【請求項６】
前記第３プリセット値は、以下の値：
復調リファレンス信号（ＤＭＲＳ）付近のプリセット・シンボル数、前記ＰＵＳＣＨの前記シンボル数に関連する値、前記ＰＵＳＣＨが周波数ホッピングをサポートしているか否かに関連する値、及び追加的なＤＭＲＳがサポートされているか否かに関連する値のうちの１つ以上である、請求項５に記載の方法。
【請求項７】
前記第４プリセット値は、以下の値：
プリセット・リソース・エレメント（ＲＥ）数、前記ＰＵＳＣＨの前記シンボル数に関連する値、前記ＰＵＳＣＨの帯域幅に関連する値、及び前記ＰＵＳＣＨの位相トラッキング・リファレンス信号（ＰＴＲＳ）に関連する値のうちの１つ以上である、請求項６に記載の方法。
【請求項８】
前記ＵＣＩは、ハイブリッド自動再送要求確認（ＨＡＲＱ−ＡＣＫ）情報又はチャネル状態情報（ＣＳＩ）のうちの少なくとも１つを含む、請求項１−７のうちの何れか１項に記載の方法。
【請求項９】
前記パラメータαは１より小さい、請求項１−８のうちの何れか１項に記載の方法。
【請求項１０】
前記方法は端末又はチップにより実行される、請求項１−９のうちの何れか１項に記載の方法。
【請求項１１】
請求項１−９のうちの何れか１項に記載の方法を実行する手段を含む通信装置。
【請求項１２】
処理要素と記憶要素とを含む通信装置であって、前記記憶要素はプログラムを格納するように構成され、前記プログラムが前記処理要素によって呼び出されると、前記通信装置は請求項１−９のうちの何れか１項に記載の方法を実行するように構成されている通信装置。
【請求項１３】
前記通信装置は端末デバイス又はベースバンド・チップである、請求項１２に記載の通信装置。
【請求項１４】
プロセッサとメモリとを含む端末デバイスであって、前記プロセッサは前記メモリに接続され、前記メモリはコンピュータ実行可能命令を格納し、前記プロセッサは、前記端末デバイスが請求項１−９のうちの何れか１項に記載の方法を実行するように、前記メモリに格納された前記コンピュータ実行可能命令を実行する、端末デバイス。
【請求項１５】
コンピュータ読み取り可能な記憶媒体であって、前記コンピュータ読み取り可能な記憶媒体は命令を格納し、前記命令がコンピュータで動作すると、前記コンピュータは請求項１−９のうちの何れか１項に記載の方法を実行することが可能である、記憶媒体。
【請求項１６】
請求項１−９のうちの何れか１項に記載の方法をコンピュータに実行させるプログラム。
【手続補正２】
【補正対象書類名】明細書
【補正対象項目名】００５５
【補正方法】変更
【補正の内容】
【００５５】
本願において、ＵＣＩは、以下の情報を含むが、これらに限定されない：ハイブリッド自動再送要求確認（ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，ＨＡＲＱ−ＡＣＫ）、スケジューリング要求（ｓｃｈｅｄｕｌｉｎｇ  ｒｅｑｕｅｓｔ，ＳＲ）、ＣＳＩパート１、ＣＳＩパート２等。ＣＳＩ情報は更に、ＣＱＩ、ＰＭＩ、及びランク指示（ｒａｎｋ  ｉｎｄｉｃａｔｉｏｎ  ＲＩ）などの情報を含んでもよい。ステップ２０１の前に、ネットワーク・デバイスは、第１指示情報を端末デバイスに送信する。第１指示情報は、スケジューリング情報、パラメータβ、及びパラメータαを含む。端末デバイスは、第１指示情報に基づいて第１情報を決定してもよい。第１情報は、以下の情報の組み合わせ：スケジューリング情報、ＵＣＩのビット数とデータのビット数との合計に対するＵＣＩのビット数の比、第１プリセット・パラメータ、パラメータβ、及びＰＵＳＣＨの利用可能なリソース量の組み合わせ；スケジューリング情報、第１プリセット・パラメータ、パラメータβ、ＰＵＳＣＨの利用可能なリソース量、及びスケジューリングされたデータの符号化率の組み合わせ；スケジューリング情報、データのビット数に対するＵＣＩのビット数の比、第１プリセット・パラメータ、パラメータβ、ＰＵＳＣＨの利用可能なリソース量、及びパラメータαの組み合せ；等々のうちの何れかの組み合わせを含む可能性がある。これらの情報の組み合わせは単なる例であり、本願はそれに制限を設けていない。本願では、リソースの量は、ＲＥの量であってもよい。これは単なる例に過ぎず、制限は設けられていない。なお、ＵＣＩのビット数、データのビット数、及びＰＵＳＣＨの利用可能なリソース量は、ネットワーク・デバイスと端末デバイスとの両方によって合意されており、ネットワーク・デバイスによって送信されることなく端末デバイスによって決定される可能性があることに留意を要する。
【手続補正３】
【補正対象書類名】明細書
【補正対象項目名】００９９
【補正方法】変更
【補正の内容】
【００９９】
第４プリセット値は、プリセットＲＥ数であってもよい。図６のＡに示されるように、プリセットＲＥ数は、経験に基づいて設定される固定値であってもよく、その値は、例えば、２、３又は４であってもよい。この場合、Ｃの値は、時間ドメインにおけるシンボル数とＲＥ数との積である。
【手続補正４】
【補正対象書類名】明細書
【補正対象項目名】０１００
【補正方法】変更
【補正の内容】
【０１００】
第４プリセット値は、ＰＵＳＣＨのシンボルの数に関連する値であってもよい。図６のＢに示すように、シンボル数が比較的少ない場合、その値は相対的に大きい。例えば、ＰＵＳＣＨが１４シンボルの場合、その値は２つのＲＥを示し、ＰＵＳＣＨが７シンボルの場合、その値は４つのＲＥを示す。ＰＵＳＣＨ内のＲＥの周波数ドメイン位置は予め定められていてもよく、例えば帯域幅エッジ上のＲＥであってもよいし、あるいはＲＢＧが帯域幅関連である場合に或るＲＢＧ内の或るＲＥであってもよい。例えば、ＰＵＳＣＨが１４シンボルである場合、その値は２つのＲＥを示し、Ｃの値はＲＥ数２と時間ドメインのシンボル数との積である。
【手続補正５】
【補正対象書類名】明細書
【補正対象項目名】０１０１
【補正方法】変更
【補正の内容】
【０１０１】
第４プリセット値は、ＰＵＳＣＨの帯域幅に関連する値であってもよい。図６のＣに示すように、帯域幅が比較的大きい場合、その値は相対的に大きい。ＰＵＳＣＨが１つのＲＢである場合、その値は１つのＲＥを示す。ＰＵＳＣＨが２つのＲＢである場合、その値は２つのＲＥを示す。具体的に、第４プリセット値は、周波数ドメインの離散的な粒度、例えばＲＢ、ＲＢＧ、ＰＲＧ、又はサブバンドに代替的に関連付けられることが可能である。例えば、ＰＵＳＣＨが１つのＲＢである場合、その値は１つのＲＥを示し、Ｃの値はＲＥ数１と時間ドメインのシンボル数との積である。
【手続補正６】
【補正対象書類名】明細書
【補正対象項目名】０１０２
【補正方法】変更
【補正の内容】
【０１０２】
第４プリセット値は、ＰＵＳＣＨのＰＴＲＳに関連する値であってもよい。ＰＴＲＳが存在する場合、ＰＴＲＳ近傍の位置は、ＲＥの位置として選択され、比較的良好な周波数オフセット補正及びチャネル推定効果を達成することができる。複数のＰＴＲＳが存在する場合には、ＰＴＲＳと同数のＲＥが選択され、その詳細は図７に示されるものであってもよい。ＰＴＲＳにより占有される場所は、ＵＣＩの利用可能なリソースではない。
【手続補正７】
【補正対象書類名】明細書
【補正対象項目名】０１０７
【補正方法】変更
【補正の内容】
【０１０７】
ＡＣＫとＣＳＩパート１のマッピング方法は一貫性を維持していてもよい。ＡＣＫ及びＣＳＩパート１の両方が存在する場合、利用可能なリソースは更に均等に割り当てられる可能性がある。例えば、方法１のＲＢＧの場合、ＣＳＩパート１は、ＲＧＢ番号が奇数であるリソースにマッピングされ、ＡＣＫは、ＲＧＢ番号が偶数であるリソースにマッピングされる。奇数番号のリソース及び偶数番号のリソースの中で、方法１の説明に基づいて割り当てが更に実行される。
【国際調査報告】
2021503787.tif 000060
2021503787.tif 000061
2021503787.tif 000062
2021503787.tif 000063